(57)【要約】【課題】基地局装置と移動局装置が、物理チャネルをシングルアンテナポートまたはマルチアンテナポートで送受信する際に、基地局装置によって、効率的なスケジューリングを行うことができる移動通信システムおよび通信方法を提供する。【解決手段】基地局装置と移動局装置から構成される移動通信システムであって、前記基地局装置は、サウンディングリファレンスシグナルに対するシングルアンテナポート送信またはマルチアンテナ送信を指示する情報を含む下りリンク制御情報フォーマットを前記移動局装置へ通知し、前記移動局装置は、前記情報に従って、シングルアンテナポートまたはマルチアンテナに対するサウンディングリファレンスシグナルを前記基地局装置へ送信する。【選択図】図４
2012034145.tif 000002
【特許請求の範囲】
【請求項１】
基地局装置と移動局装置から構成される移動通信システムであって、
前記基地局装置は、
サウンディングリファレンスシグナルに対するシングルアンテナポート送信またはマルチアンテナポート送信を指示する情報を含む下りリンク制御情報フォーマットを前記移動局装置へ通知し、
前記移動局装置は、
前記情報に従って、シングルアンテナポートまたはマルチアンテナポートに対するサウンディングリファレンスシグナルを前記基地局装置へ送信する
ことを特徴とする移動通信システム。
【請求項２】
基地局装置と移動局装置から構成される移動通信システムであって、
前記基地局装置は、
サウンディングリファレンスシグナルに対するシングルアンテナポート送信を指示する情報を含む下りリンク制御情報フォーマットを前記移動局装置へ通知し、
前記移動局装置は、
前記情報に従って、シングルアンテナポートに対するサウンディングリファレンスシグナルを前記基地局装置へ送信する
ことを特徴とする移動通信システム。
【請求項３】
基地局装置と移動局装置から構成される移動通信システムであって、
前記基地局装置は、
サウンディングリファレンスシグナルに対するマルチアンテナポート送信を指示する情報を含む下りリンク制御情報フォーマットを前記移動局装置へ通知し、
前記移動局装置は、
前記情報に従って、マルチアンテナポートに対するサウンディングリファレンスシグナルを前記基地局装置へ送信する
ことを特徴とする移動通信システム。
【請求項４】
基地局装置と移動局装置から構成される移動通信システムであって、
前記基地局装置は、
サウンディングリファレンスシグナルの送信指示を含む下りリンク制御情報を前記移動局装置へ通知し、
前記移動局装置は、
前記下りリンク制御情報のフォーマットに対応して、シングルアンテナポートまたはマルチアンテナポートに対するサウンディングリファレンスシグナルを前記基地局装置へ送信する
ことを特徴とする移動通信システム。
【請求項５】
基地局装置と移動局装置から構成される移動通信システムであって、
前記基地局装置は、
サウンディングリファレンスシグナルの送信指示を含む下りリンク制御情報フォーマットを前記移動局装置へ通知し、
前記移動局装置は、
前記下りリンク制御情報フォーマットに前記サウンディングリファレンスシグナルの送信指示が含まれている場合には、シングルアンテナポートに対するサウンディングリファレンスシグナルを前記基地局装置へ送信し、
前記下りリンク制御情報フォーマットは、前記移動局装置が物理上りリンク共用チャネルをシングルアンテナポートで送信するためにのみ使用される
ことを特徴とする移動通信システム。
【請求項６】
基地局装置と移動局装置から構成される移動通信システムであって、
前記基地局装置は、
サウンディングリファレンスシグナルの送信指示を含む下りリンク制御情報フォーマットを前記移動局装置へ通知し、
前記移動局装置は、
前記下りリンク制御情報フォーマットに前記サウンディングリファレンスシグナルの送信指示が含まれている場合には、マルチアンテナポートに対するサウンディングリファレンスシグナルを前記基地局装置へ送信し、
前記下りリンク制御情報フォーマットは、前記移動局装置が物理上りリンク共用チャネルをマルチアンテナポートで送信するために使用される
ことを特徴とする移動通信システム。
【請求項７】
基地局装置と移動局装置から構成される移動通信システムであって、
前記基地局装置は、
サウンディングリファレンスシグナルの送信指示を含む第１の下りリンク制御情報フォーマットまたは第２の下りリンク制御情報フォーマットを前記移動局装置へ通知し、
前記移動局装置は、
前記第１の下りリンク制御情報フォーマットに前記サウンディングリファレンスシグナルの送信指示が含まれている場合には、シングルアンテナポートに対するサウンディングリファレンスシグナルを前記基地局装置へ送信し、
前記第２の下りリンク制御情報フォーマットに前記サウンディングリファレンスシグナルの送信指示が含まれている場合には、マルチアンテナポートに対するサウンディングリファレンスシグナルを前記基地局装置へ送信し、
前記第１の下りリンク制御情報フォーマットは、前記移動局装置が物理上りリンク共用チャネルをシングルアンテナポートで送信するためにのみ使用され、
前記第２の下りリンク制御情報フォーマットは、前記移動局装置が物理上りリンク共用チャネルをマルチアンテナポートで送信するために使用される
ことを特徴とする移動通信システム。
【請求項８】
基地局装置と移動局装置から構成される移動通信システムにおける基地局装置であって、
サウンディングリファレンスシグナルに対するシングルアンテナポート送信またはマルチアンテナポート送信を指示する情報を含む下りリンク制御情報フォーマットを前記移動局装置へ通知する手段
を備えることを特徴とする基地局装置。
【請求項９】
基地局装置と移動局装置から構成される移動通信システムにおける移動局装置であって、
サウンディングリファレンスシグナルに対するシングルアンテナポート送信またはマルチアンテナポート送信を指示する情報を含む下りリンク制御情報フォーマットを前記基地局装置によって通知される手段と、
前記情報に従って、シングルアンテナポートまたはマルチアンテナポートに対するサウンディングリファレンスシグナルを前記基地局装置へ送信する手段と、
を備えることを特徴とする移動局装置。
【請求項１０】
基地局装置と移動局装置から構成される移動通信システムにおける移動局装置であって、
サウンディングリファレンスシグナルの送信指示を含む下りリンク制御情報を前記基地局装置から通知される手段と、
前記下りリンク制御情報のフォーマットに対応して、シングルアンテナポートまたはマルチアンテナポートに対するサウンディングリファレンスシグナルを前記基地局装置へ送信する
ことを特徴とする移動局装置。
【請求項１１】
基地局装置と移動局装置から構成される移動通信システムにおける移動局装置であって、
サウンディングリファレンスシグナルの送信指示を含む第１の下りリンク制御情報フォーマットまたは第２の下りリンク制御情報フォーマットを前記基地局装置によって通知される手段と、
前記第１の下りリンク制御情報フォーマットに前記サウンディングリファレンスシグナルの送信指示が含まれている場合には、シングルアンテナポートに対するサウンディングリファレンスシグナルを前記基地局装置へ送信する手段と、
前記第２の下りリンク制御情報フォーマットに前記サウンディングリファレンスシグナルの送信指示が含まれている場合には、マルチアンテナポートに対するサウンディングリファレンスシグナルを前記基地局装置へ送信する手段と、を備え、
前記第１の下りリンク制御情報フォーマットは、前記移動局装置が物理上りリンク共用チャネルをシングルアンテナポートで送信するためにのみ使用され、
前記第２の下りリンク制御情報フォーマットは、前記移動局装置が物理上りリンク共用チャネルをマルチアンテナポートで送信するために使用される
ことを特徴とする移動局装置。
【請求項１２】
基地局装置と移動局装置から構成される移動通信システムにおける基地局装置の通信方法であって、
サウンディングリファレンスシグナルに対するシングルアンテナポート送信またはマルチアンテナポート送信を指示する情報を含む下りリンク制御情報フォーマットを前記移動局装置へ通知する
ことを特徴とする通信方法。
【請求項１３】
基地局装置と移動局装置から構成される移動通信システムにおける移動局装置の通信方法であって、
サウンディングリファレンスシグナルに対するシングルアンテナポート送信またはマルチアンテナポート送信を指示する情報を含む下りリンク制御情報フォーマットを前記基地局装置によって通知され、
前記情報に従って、シングルアンテナポートまたはマルチアンテナポートに対するサウンディングリファレンスシグナルを前記基地局装置へ送信する
ことを特徴とする通信方法。
【請求項１４】
基地局装置と移動局装置から構成される移動通信システムにおける移動局装置の通信方法であって、
サウンディングリファレンスシグナルの送信指示を含む下りリンク制御情報を前記基地局装置から通知され、
前記下りリンク制御情報のフォーマットに対応して、シングルアンテナポートまたはマルチアンテナポートに対するサウンディングリファレンスシグナルを前記基地局装置へ送信する
ことを特徴とする通信方法。
【請求項１５】
基地局装置と移動局装置から構成される移動通信システムにおける移動局装置の通信方法であって、
サウンディングリファレンスシグナルの送信指示を含む第１の下りリンク制御情報フォーマットまたは第２の下りリンク制御情報フォーマットを前記基地局装置によって通知され、
前記第１の下りリンク制御情報フォーマットに前記サウンディングリファレンスシグナルの送信指示が含まれている場合には、シングルアンテナポートに対するサウンディングリファレンスシグナルを前記基地局装置へ送信し、
前記第２の下りリンク制御情報フォーマットに前記サウンディングリファレンスシグナルの送信指示が含まれている場合には、マルチアンテナポートに対するサウンディングリファレンスシグナルを前記基地局装置へ送信し、
前記第１の下りリンク制御情報フォーマットは、前記移動局装置が物理上りリンク共用チャネルをシングルアンテナポートで送信するために使用され、
前記第２の下りリンク制御情報フォーマットは、前記移動局装置が物理上りリンク共用チャネルをマルチアンテナポートで送信するために使用される
ことを特徴とする通信方法。
【発明の詳細な説明】
【技術分野】
【０００１】
本発明は、基地局装置および移動局装置から構成される移動通信システムおよび通信方法に関する。
【背景技術】
【０００２】
３ＧＰＰ（3rd Generation Partnership Project）は、Ｗ−ＣＤＭＡ（Wideband-Code Division Multiple Access）と、ＧＳＭ（Global System for Mobile Communications）とを発展させたネットワークを基本した移動通信システムの仕様の検討・作成を行なうプロジェクトである。３ＧＰＰでは、Ｗ−ＣＤＭＡ方式が第３世代セルラー移動通信方式として標準化され、順次サービスが開始されている。また、通信速度をさらに高速化させたＨＳＤＰＡ（High-speed Downlink Packet Access）も標準化され、サービスが開始されている。３ＧＰＰでは、第３世代無線アクセス技術の進化（以下、「ＬＴＥ（Long Term Evolution）」または「ＥＵＴＲＡ（Evolved Universal Terrestrial Radio Access）」とも呼称する）、および、より広帯域な周波数帯域を利用して、さらに高速なデータの送受信を実現する移動通信システム（以下、「ＬＴＥ−Ａ（Long Term Evolution-Advanced）」または「Ａｄｖａｎｃｅｄ−ＥＵＴＲＡ」とも呼称する）に関する検討が進められている。
【０００３】
ＬＴＥにおける通信方式としては、互いに直交するサブキャリアを用いてユーザ多重化を行なうＯＦＤＭＡ（Orthogonal Frequency Division Multiple Access）方式、および、ＳＣ−ＦＤＭＡ（Single Carrier-Frequency Division Multiple Access）方式が検討されている。すなわち、下りリンクでは、マルチキャリア通信方式であるＯＦＤＭＡ方式が、上りリンクでは、シングルキャリア通信方式であるＳＣ−ＦＤＭＡ方式が提案されている。
【０００４】
一方、ＬＴＥ−Ａにおける通信方式としては、下りリンクでは、ＯＦＤＭＡ方式が、上りリンクでは、ＳＣ−ＦＤＭＡ方式に加えて、Ｃｌｕｓｔｅｒｅｄ−ＳＣ−ＦＤＭＡ（Clustered-Single Carrier-Frequency Division Multiple Access、DFT-precoded OFDMとも呼称される）方式を導入することが検討されている。ここで、ＬＴＥおよびＬＴＥ−Ａにおいて、上りリンクの通信方式として提案されているＳＣ−ＦＤＭＡ方式、Ｃｌｕｓｔｅｒｅｄ−ＳＣ−ＦＤＭＡ方式は、シングルキャリア通信方式の特性上（シングルキャリア特性によって）、データ（情報）を送信する際のＰＡＰＲ（Peak to Average Power Ratio：ピーク電力対平均電力比、送信電力）を低く抑えることができるという特徴を持っている。
【０００５】
また、ＬＴＥ−Ａでは、一般的な移動通信システムで使用する周波数帯域は連続であるのに対し、連続および／または不連続な複数の周波数帯域（以下、「コンポーネントキャリア（ＣＣ：Component Carrier）」または「キャリアコンポーネント（ＣＣ：Carrier Component）」とも呼称する）を複合的に使用して、１つの広帯域な周波数帯域として運用する（周波数帯域集約：Carrier aggregationとも呼称される）ことが提案されている。また、基地局装置と移動局装置が、広帯域な周波数帯域をより柔軟に使用して通信するために、下りリンクの通信に使用される周波数帯域と上りリンクの通信に使用される周波数帯域を異なる周波数帯域幅とする（非対称周波数帯域集約：Asymmetric carrier aggregation）ことも提案されている（非特許文献１）。
【０００６】
図６は、従来の技術における周波数帯域集約された移動通信システムを説明する図である。図６に示されるような下りリンク（ＤＬ：Down Link）の通信に使用される周波数帯域と上りリンク（ＵＬ：Up Link）の通信に使用される周波数帯域を同じ帯域幅とすることは、対称周波数帯域集約（Symmetric carrier aggregation）とも呼称される。図６に示すように、基地局装置と移動局装置は、連続および／または不連続な周波数帯域である複数のコンポーネントキャリアを複合的に使用することによって、複数のコンポーネントキャリアによって構成される広帯域な周波数帯域で通信を行うことができる。
【０００７】
図６では、例として、１００ＭＨｚの帯域幅を持った下りリンクの通信に使用される周波数帯域（ＤＬシステム帯域（幅）でも良い）が、２０ＭＨｚの帯域幅を持った５つの下りリンクコンポーネントキャリア（ＤＣＣ１：Downlink Component Carrier１、ＤＣＣ２、ＤＣＣ３、ＤＣＣ４、ＤＣＣ５）によって構成されていることを示している。また、例として、１００ＭＨｚの帯域幅を持った上りリンクの通信に使用される周波数帯域（ＵＬシステム帯域（幅）でも良い）が、２０ＭＨｚの帯域幅を持った５つの上りリンクコンポーネントキャリア（ＵＣＣ１：Uplink Component Carrier１、ＵＣＣ２、ＵＣＣ３、ＵＣＣ４、ＵＣＣ５）によって構成されていることを示している。
【０００８】
図６において、下りリンクコンポーネントキャリアそれぞれには、物理下りリンク制御チャネル（以下、ＰＤＣＣＨ：Physical Downlink Control Channel）、物理下りリンク共用チャネル（以下、ＰＤＳＣＨ：Physical Downlink Shared Channel）等の下りリンクのチャネルが配置される。
【０００９】
基地局装置は、ＰＤＳＣＨを使用して送信される下りリンクトランスポートブロックを送信するための下りリンク制御情報（ＤＣＩ：Downlink Control Information）を、ＰＤＣＣＨを使用して移動局装置へ割り当て（スケジュールし）、ＰＤＳＣＨを使用して、下りリンクトランスポートブロックを移動局装置へ送信する。ここで、図６において、基地局装置は、同一サブフレームで、最大５つまでの下りリンクトランスポートブロック（ＰＤＳＣＨでも良い）を移動局装置へ送信することができる。
【００１０】
また、上りリンクコンポーネントキャリアそれぞれには、物理上りリンク制御チャネル（以下、ＰＵＣＣＨ：Physical Uplink Control Channel）、物理上りリンク共用チャネル（以下、ＰＵＳＣＨ：Physical Uplink Shared Channel）等の上りリンクのチャネルが配置される。
【００１１】
移動局装置は、ＰＵＣＣＨおよび／またはＰＵＳＣＨを使用して、下りリンクのチャネル状態を示すチャネル状態情報（ＣＳＩ：Channel Statement information）や、下りリンクトランスポートブロックに対するＨＡＲＱにおけるＡＣＫ／ＮＡＣＫ（肯定応答：Positive Acknowledgement／否定応答：Negative Acknowledgement）を示す情報や、スケジューリング要求（ＳＲ：Scheduling Request）などの上りリンク制御情報（ＵＣＩ：Uplink Control Information）を基地局装置へ送信する。ここで、図６において、移動局装置は、同一サブフレームで、最大５つまでの上りリンクトランスポートブロック（ＰＵＳＣＨでも良い）を基地局装置へ送信することができる。
【００１２】
ここで、移動局装置は、基地局装置が上りリンクのチャネルを測定するために、サウンディングリファレンスシグナル（以下、ＳＲＳ：Sounding Reference Signalとも呼称する）を、上りリンクを使用して基地局装置へ送信することができる。ＬＴＥ−Ａでは、移動局装置が、周期的なＳＲＳ（以下、Ｐ−ＳＲＳ：Periodic SRSとも呼称する）を基地局装置へ送信することに加えて、非周期的なＳＲＳ（以下、Ａ−ＳＲＳ：Aperiodic SRS、Dynamic SRS、Scheduled SRSとも呼称する）を基地局装置へ送信することが検討されている。
【００１３】
例えば、移動局装置は、基地局装置からの指示に従って、Ｐ−ＳＲＳを基地局装置へ送信する。また、例えば、移動局装置は、基地局装置からの指示に従って、Ａ−ＳＲＳを基地局装置へ送信する。基地局装置は、移動局装置から送信されるＰ−ＳＲＳ、Ａ−ＳＲＳに基づいて、移動局装置をスケジューリングし、例えば、ＰＵＳＣＨリソースの割り当てやＰＵＳＣＨに施すべき変調方式、符号化率を決定することができる。
【００１４】
また、ＬＴＥ−Ａでは、移動局装置が、シングルアンテナポートに対するＳＲＳやマルチアンテナポートに対するＳＲＳを、基地局装置へ送信することが提案されている。例えば、移動局装置は、基地局装置からの下りリンク制御情報フォーマット（ＤＣＩフォーマット、アップリンクグラント：UL grant、アップリンクアサインメント：Uplink assignmentとも呼称する）に従って、マルチアンテナポートに対するＡ−ＳＲＳを、基地局装置へ送信することが提案されている（非特許文献２）。
【先行技術文献】
【非特許文献】
【００１５】
【非特許文献１】"Carrier aggregation in LTE-Advanced", 3GPP TSG RAN WG1 Meeting #53bis, R1-082464, June 30-July 4, 2008.
【非特許文献２】"Periodic SRS for Multi-antenna Transmission", 3GPP TSG RAN1 Meeting #61bis, R1-104031, June28-July2, 2010.
【発明の概要】
【発明が解決しようとする課題】
【００１６】
しかしながら、従来の技術では、移動局装置が、シングルアンテナポートに対するＳＲＳ送信とマルチアンテナポートに対するＳＲＳ送信を動的（ダイナミック）に切り替えることができなかった。
【００１７】
基地局装置と移動局装置は、物理チャネルを送受信する際に、シングルアンテナポート送信とマルチアンテナポート送信を動的に切り替えながら送受信を行なう。しかしながら、移動局装置が、シングルアンテナポートに対するＳＲＳ送信とマルチアンテナポートに対するＳＲＳ送信を動的に切り替えることができないために、基地局装置によって、チャネル状態に適応した効率的なスケジューリングを行なうことができなくなってしまう。
【００１８】
すなわち、従来の技術では、基地局装置と移動局装置が、物理チャネルをシングルアンテナポートまたはマルチアンテナポートで送受信する際に、基地局装置によって、効率的なスケジューリングを行なえないという問題があった。
【００１９】
本発明は、このような事情に鑑みてなされたものであり、基地局装置と移動局装置が、物理チャネルをシングルアンテナポートまたはマルチアンテナポートで送受信する際に、基地局装置によって、効率的なスケジューリングを行うことができる移動通信システムおよび通信方法を提供する。
【課題を解決するための手段】
【００２０】
（１）上記の目的を達成するために、本発明は、以下のような手段を講じた。すなわち、本発明の移動通信システムは、  基地局装置と移動局装置から構成される移動通信システムであって、前記基地局装置は、サウンディングリファレンスシグナルに対するシングルアンテナポート送信またはマルチアンテナポート送信を指示する情報を含む下りリンク制御情報フォーマットを前記移動局装置へ通知し、前記移動局装置は、前記情報に従って、シングルアンテナポートまたはマルチアンテナポートに対するサウンディングリファレンスシグナルを前記基地局装置へ送信することを特徴としている。
【００２１】
（２）また、基地局装置と移動局装置から構成される移動通信システムであって、前記基地局装置は、サウンディングリファレンスシグナルに対するシングルアンテナポート送信を指示する情報を含む下りリンク制御情報フォーマットを前記移動局装置へ通知し、前記移動局装置は、前記情報に従って、シングルアンテナポートに対するサウンディングリファレンスシグナルを前記基地局装置へ送信することを特徴としている。
【００２２】
（３）また、基地局装置と移動局装置から構成される移動通信システムであって、前記基地局装置は、サウンディングリファレンスシグナルに対するマルチアンテナポート送信を指示する情報を含む下りリンク制御情報フォーマットを前記移動局装置へ通知し、前記移動局装置は、前記情報に従って、マルチアンテナポートに対するサウンディングリファレンスシグナルを前記基地局装置へ送信することを特徴としている。
【００２３】
（４）また、基地局装置と移動局装置から構成される移動通信システムであって、前記基地局装置は、サウンディングリファレンスシグナルの送信指示を含む下りリンク制御情報を前記移動局装置へ通知し、前記移動局装置は、前記下りリンク制御情報のフォーマットに対応して、シングルアンテナポートまたはマルチアンテナポートに対するサウンディングリファレンスシグナルを前記基地局装置へ送信することを特徴としている。
【００２４】
（５）また、基地局装置と移動局装置から構成される移動通信システムであって、前記基地局装置は、サウンディングリファレンスシグナルの送信指示を含む下りリンク制御情報フォーマットを前記移動局装置へ通知し、前記移動局装置は、前記下りリンク制御情報フォーマットに前記サウンディングリファレンスシグナルの送信指示が含まれている場合には、シングルアンテナポートに対するサウンディングリファレンスシグナルを前記基地局装置へ送信し、前記下りリンク制御情報フォーマットは、前記移動局装置が物理上りリンク共用チャネルをシングルアンテナポートで送信するためにのみ使用されることを特徴としている。
【００２５】
（６）また、基地局装置と移動局装置から構成される移動通信システムであって、前記基地局装置は、サウンディングリファレンスシグナルの送信指示を含む下りリンク制御情報フォーマットを前記移動局装置へ通知し、前記移動局装置は、前記下りリンク制御情報フォーマットに前記サウンディングリファレンスシグナルの送信指示が含まれている場合には、マルチアンテナポートに対するサウンディングリファレンスシグナルを前記基地局装置へ送信し、前記下りリンク制御情報フォーマットは、前記移動局装置が物理上りリンク共用チャネルをマルチアンテナポートで送信するために使用されることを特徴としている。
【００２６】
（７）また、基地局装置と移動局装置から構成される移動通信システムであって、前記基地局装置は、サウンディングリファレンスシグナルの送信指示を含む第１の下りリンク制御情報フォーマットまたは第２の下りリンク制御情報フォーマットを前記移動局装置へ通知し、前記移動局装置は、前記第１の下りリンク制御情報フォーマットに前記サウンディングリファレンスシグナルの送信指示が含まれている場合には、シングルアンテナポートに対するサウンディングリファレンスシグナルを前記基地局装置へ送信し、前記第２の下りリンク制御情報フォーマットに前記サウンディングリファレンスシグナルの送信指示が含まれている場合には、マルチアンテナポートに対するサウンディングリファレンスシグナルを前記基地局装置へ送信し、前記第１の下りリンク制御情報フォーマットは、前記移動局装置が物理上りリンク共用チャネルをシングルアンテナポートで送信するためにのみ使用され、前記第２の下りリンク制御情報フォーマットは、前記移動局装置が物理上りリンク共用チャネルをマルチアンテナポートで送信するために使用されることを特徴としている。
【００２７】
（８）また、基地局装置と移動局装置から構成される移動通信システムにおける基地局装置であって、サウンディングリファレンスシグナルに対するシングルアンテナポート送信またはマルチアンテナポート送信を指示する情報を含む下りリンク制御情報フォーマットを前記移動局装置へ通知する手段を備えることを特徴としている。
【００２８】
（９）また、基地局装置と移動局装置から構成される移動通信システムにおける移動局装置であって、サウンディングリファレンスシグナルに対するシングルアンテナポート送信またはマルチアンテナポート送信を指示する情報を含む下りリンク制御情報フォーマットを前記基地局装置によって通知される手段と、前記情報に従って、シングルアンテナポートまたはマルチアンテナポートに対するサウンディングリファレンスシグナルを前記基地局装置へ送信する手段と、を備えることを特徴としている。
【００２９】
（１０）また、基地局装置と移動局装置から構成される移動通信システムにおける移動局装置であって、サウンディングリファレンスシグナルの送信指示を含む下りリンク制御情報を前記基地局装置から通知される手段と、前記下りリンク制御情報のフォーマットに対応して、シングルアンテナポートまたはマルチアンテナポートに対するサウンディングリファレンスシグナルを前記基地局装置へ送信することを特徴としている。
【００３０】
（１１）また、基地局装置と移動局装置から構成される移動通信システムにおける移動局装置であって、サウンディングリファレンスシグナルの送信指示を含む第１の下りリンク制御情報フォーマットまたは第２の下りリンク制御情報フォーマットを前記基地局装置によって通知される手段と、前記第１の下りリンク制御情報フォーマットに前記サウンディングリファレンスシグナルの送信指示が含まれている場合には、シングルアンテナポートに対するサウンディングリファレンスシグナルを前記基地局装置へ送信する手段と、前記第２の下りリンク制御情報フォーマットに前記サウンディングリファレンスシグナルの送信指示が含まれている場合には、マルチアンテナポートに対するサウンディングリファレンスシグナルを前記基地局装置へ送信する手段と、を備え、前記第１の下りリンク制御情報フォーマットは、前記移動局装置が物理上りリンク共用チャネルをシングルアンテナポートで送信するためにのみ使用され、前記第２の下りリンク制御情報フォーマットは、前記移動局装置が物理上りリンク共用チャネルをマルチアンテナポートで送信するために使用されることを特徴としている。
【００３１】
（１２）また、基地局装置と移動局装置から構成される移動通信システムにおける基地局装置の通信方法であって、サウンディングリファレンスシグナルに対するシングルアンテナポート送信またはマルチアンテナポート送信を指示する情報を含む下りリンク制御情報フォーマットを前記移動局装置へ通知することを特徴としている。
【００３２】
（１３）また、基地局装置と移動局装置から構成される移動通信システムにおける移動局装置の通信方法であって、サウンディングリファレンスシグナルに対するシングルアンテナポート送信またはマルチアンテナポート送信を指示する情報を含む下りリンク制御情報フォーマットを前記基地局装置によって通知され、前記情報に従って、シングルアンテナポートまたはマルチアンテナポートに対するサウンディングリファレンスシグナルを前記基地局装置へ送信することを特徴としている。
【００３３】
（１４）また、基地局装置と移動局装置から構成される移動通信システムにおける移動局装置の通信方法であって、サウンディングリファレンスシグナルの送信指示を含む下りリンク制御情報を前記基地局装置から通知され、前記下りリンク制御情報のフォーマットに対応して、シングルアンテナポートまたはマルチアンテナポートに対するサウンディングリファレンスシグナルを前記基地局装置へ送信することを特徴としている。
【００３４】
（１５）また、基地局装置と移動局装置から構成される移動通信システムにおける移動局装置の通信方法であって、サウンディングリファレンスシグナルの送信指示を含む第１の下りリンク制御情報フォーマットまたは第２の下りリンク制御情報フォーマットを前記基地局装置によって通知され、前記第１の下りリンク制御情報フォーマットに前記サウンディングリファレンスシグナルの送信指示が含まれている場合には、シングルアンテナポートに対するサウンディングリファレンスシグナルを前記基地局装置へ送信し、前記第２の下りリンク制御情報フォーマットに前記サウンディングリファレンスシグナルの送信指示が含まれている場合には、マルチアンテナポートに対するサウンディングリファレンスシグナルを前記基地局装置へ送信し、前記第１の下りリンク制御情報フォーマットは、前記移動局装置が物理上りリンク共用チャネルをシングルアンテナポートで送信するために使用され、前記第２の下りリンク制御情報フォーマットは、前記移動局装置が物理上りリンク共用チャネルをマルチアンテナポートで送信するために使用されることを特徴としている。
【発明の効果】
【００３５】
本発明によれば、基地局装置と移動局装置が、物理チャネルをシングルアンテナポートまたはマルチアンテナポートで送受信する際に、基地局装置によって、効率的なスケジューリングを行うことができる。
【図面の簡単な説明】
【００３６】
【図１】本発明の実施形態に係る物理チャネルの構成を概念的に示す図である。
【図２】本発明の実施形態に係る基地局装置の概略構成を示すブロック図である。
【図３】本発明の実施形態に係る移動局装置の概略構成を示すブロック図である。
【図４】第１の実施形態におけるＳＲＳの送信の例を示す図である。
【図５】第２の実施形態におけるＳＲＳの送信の例を示す図である。
【図６】従来の技術における周波数帯域集約の例を示す図である。
【発明を実施するための形態】
【００３７】
次に、本発明に係る実施形態について、図面を参照しながら説明する。図１は、本発明の実施形態におけるチャネルの一構成例を示す図である。下りリンクの物理チャネルは、物理下りリンク制御チャネル（ＰＤＣＣＨ：Physical Downlink Control Channel）、物理下りリンク共用チャネル（ＰＤＳＣＨ：Physical Downlink Shared Channel）によって構成される。上りリンクの物理チャネルは、物理上りリンク共用チャネル（ＰＵＳＣＨ：Physical Uplink Shared Channel）、物理上りリンク制御チャネル（ＰＵＣＣＨ：Physical Uplink Control Channel）によって構成される。
【００３８】
また、基地局装置は、下りリンク参照信号（ＤＲＳ:Downlink Reference Signal、下りリンクパイロット信号、下りリンクパイロットチャネルとも呼称する）を、移動局装置へ送信する。また、移動局装置は、上りリンク参照信号（ＵＲＳ:Uplink Reference Signal、上りリンクパイロット信号、上りリンクパイロットチャネルとも呼称する）を基地局装置へ送信する。ここで、上りリンク参照信号には、基地局装置が、主に、ＰＵＣＣＨおよび／またはＰＵＳＣＨを復調するために使用する復調参照信号（ＤＲＳ：Demodulation Reference Signal）が含まれる。また、上りリンク参照信号には、基地局装置が、主に、上りリンクのチャネル状態を推定するために使用するサウンディング参照信号（ＳＲＳ：Sounding Reference Signal）が含まれる。
【００３９】
ＰＤＣＣＨは、ＰＤＳＣＨのリソース割り当て、下りリンクデータに対するＨＡＲＱ処理情報、および、ＰＵＳＣＨのリソース割り当てなどを、移動局装置に通知（指定）するために使用されるチャネルである。ＰＤＣＣＨは、複数の制御チャネル要素（ＣＣＥ：Control Channel Element）から構成され、移動局装置は、ＣＣＥから構成されるＰＤＣＣＨを検出することによって、基地局装置からのＰＤＣＣＨを受信する。このＣＣＥは、周波数、時間領域において分散している複数のリソースエレメントグループ（ＲＥＧ：Resource Element Group、mini-CCEとも呼ばれる）によって構成される。ここで、リソースエレメントとは、１ＯＦＤＭシンボル（時間成分）、１サブキャリア（周波数成分）で構成される単位リソースである。
【００４０】
また、ＰＤＣＣＨによって送信される下りリンク制御情報（ＤＣＩ：Downlink Control Information）には、複数のフォーマットが定義される。以下、下りリンク制御情報のフォーマットを、ＤＣＩフォーマット（DCI format）とも呼称する。
【００４１】
例えば、下りリンクに対するＤＣＩフォーマットとしては、基地局装置が、ＰＤＳＣＨを１つの送信アンテナポート（以下、シングルアンテナポートとも呼称する）で送信するためにのみ用いられるＤＣＩフォーマット１／１Ａが定義される。すなわち、ＤＣＩフォーマット１／１Ａは、基地局装置が、１つのＰＤＳＣＨコードワード（ＣＷ：Code Word）をスケジューリングするためにのみ使用される。なお、ＤＣＩフォーマット１／１Ａは、ＰＤＳＣＨを送信ダイバーシチ方式で１つのＰＤＳＣＨコードワードを送信するために使用されても良い。
【００４２】
また、例えば、下りリンクに対するＤＣＩフォーマットとしては、基地局装置が、ＰＤＳＣＨを、ＭＩＭＯ（Multiple Input Multiple Output）を利用したＳＭ（空間多重：Spatial Multiplexing）で送信する際に用いられるＤＣＩフォーマット２が定義される。ここで、ＭＩＭＯを利用したＳＭによる信号（情報）の送受信とは、複数の送信アンテナポート（マルチアンテナポート）および複数の受信アンテナポート（マルチアンテナポート）によって実現される複数の空間次元のチャネルに対して、複数の信号（情報）が多重されて送受信が行なわれる技術である。
【００４３】
すなわち、下りリンクに対するＤＣＩフォーマットとしては、基地局装置が、ＰＤＳＣＨをマルチアンテナポートで送信するために用いられるＤＣＩフォーマット２が定義される。すなわち、ＤＣＩフォーマット２は、基地局装置が、２つのＰＤＳＣＨコードワードをスケジューリングするために使用される。ここで、ＤＣＩフォーマット２は、基地局装置が、１つのＰＤＳＣＨコードワードをスケジューリングするために用いられても良い。すなわち、ＤＣＩフォーマット２は、基地局装置が、ＰＤＳＣＨをシングルアンテナポートで送信するために用いられても良い。
【００４４】
また、例えば、上りリンクに対するＤＣＩフォーマットとしては、移動局装置が、ＰＵＳＣＨをシングルアンテナポートで送信するためにのみ用いられるＤＣＩフォーマット０が定義される。すなわち、ＤＣＩフォーマット０は、基地局装置が、１つのＰＵＳＣＨコードワードをスケジューリングするためにのみ用いられる。
【００４５】
また、例えば、上りリンクに対するＤＣＩフォーマットとしては、移動局装置が、ＰＵＳＣＨを、ＭＩＭＯを利用したＳＭで送信する際に用いられるＤＣＩフォーマット０Ａが定義される。すなわち、上りリンクに対するＤＣＩフォーマットとしては、移動局装置が、ＰＵＳＣＨをマルチアンテナポートで送信するために用いられるＤＣＩフォーマット０Ａが定義される。すなわち、ＤＣＩフォーマット０Ａは、基地局装置が、２つのＰＵＳＣＨコードワードをスケジューリングするために使用される。ここで、ＤＣＩフォーマット０Ａは、基地局装置が、１つのＰＵＳＣＨコードワードをスケジューリングするために用いられても良い。すなわち、ＤＣＩフォーマット０Ａは、移送局装置が、ＰＵＳＣＨをシングルアンテナポートで送信するために用いられても良い。
【００４６】
ここで、アンテナポートとは信号処理に用いられる論理的なアンテナのことを示している。すなわち、１つの送信アンテナポート（シングルアンテナポート）は、１つの物理的なアンテナによって構成されても良いし、複数の物理的なアンテナによって構成されても良い。また、１つの受信アンテナポート（シングルアンテナポート）は、１つの物理的なアンテナによって構成されても良いし、複数の物理的なアンテナによって構成されても良い。また、複数の送信アンテナポート（マルチアンテナポート）は、複数の物理的なアンテナによって構成されても良いし、複数の物理的なアンテナによって構成されても良い。また、複数の受信アンテナポート（シングルアンテナポート）は、１つの物理的なアンテナによって構成されても良いし、複数の物理的なアンテナによって構成されても良い。
【００４７】
例えば、複数の送信アンテナを持つ移動局装置に対して、（上りリンク）シングルアンテナポートモードが定義され、（上りリンク）シングルアンテナポートモードが定義された移動局装置の動作（振る舞い）は、基地局装置側からは、１つの送信アンテナを持つ移動局装置の動作（振る舞い）と同じように想定される。すなわち、基地局装置側からは、移動局装置が、論理的に１つの送信アンテナを使用して信号（情報）を送信するように想定される。
【００４８】
例えば、基地局装置は、移動局装置に対して、シングルアンテナポートモード（シングルアンテナポートスキーム：Single antenna port schemeとも呼称される）を、ＲＲＣシグナリングを使用して、移動局装置固有（UE-specifically）に設定することができる。すなわち、基地局装置は、ＰＤＳＣＨをシングルアンテナポートで送信することを、ＲＲＣシグナリングを使用して設定することができる。また、基地局装置は、移動局装置がＰＵＳＣＨをシングルアンテナポートで送信することを、ＲＲＣシグナリングを使用して設定することができる。
【００４９】
また、例えば、基地局装置は、移動局装置に対して、マルチアンテナポートモード（マルチアンテナポートスキーム：Multi antenna port schemeとも呼称される）を、ＲＲＣシグナリングを使用して、移動局装置固有（UE-specifically）に設定することができる。すなわち、基地局装置は、ＰＤＳＣＨをマルチアンテナポートで送信することを、ＲＲＣシグナリングを使用して設定することができる。また、基地局装置は、移動局装置がＰＵＳＣＨをマルチアンテナポートで送信することを、ＲＲＣシグナリングを使用して設定することができる。
【００５０】
例えば、基地局装置は、ＲＲＣシグナリングを使用してＰＤＳＣＨの送信モード（送信スキームでも良い）を設定することによって、移動局装置に対して、ＰＤＳＣＨをマルチアンテナポートで送信することを通知することができる。また、例えば、基地局装置は、ＲＲＣシグナリングを使用してＰＵＳＣＨの送信モード（送信スキームでも良い）を設定することによって、移動局装置に対して、ＰＵＳＣＨをマルチアンテナポートで送信することを通知することができる。
【００５１】
ここで、基地局装置は、移動局装置に対して、ＰＤＳＣＨに対するシングルアンテナポートモードまたはマルチアンテナポートモードの設定（アンテナポート数の設定とも言える）を、ＳＲＳの送信とは独立に設定することができる。また、基地局装置は、移動局装置に対して、ＰＵＳＣＨに対するシングルアンテナポートモードまたはマルチアンテナポートモードの設定（アンテナポート数の設定とも言える）を、ＳＲＳの送信とは独立に設定することができる。
【００５２】
ここで、複数の移動局装置宛てのＰＤＣＣＨ（複数の移動局装置に対するＰＤＣＣＨ、グループスケジューリングに使用されるＰＤＣＣＨ）は、複数の移動局装置によって受信される（検出される）必要があるために、基地局装置によって、全ての移動局装置がＰＤＣＣＨの検索（検出）を試みる共通検索領域（ＣＳＳ：Common Search Spaceとも呼称される）に配置される。
【００５３】
また、基地局装置がＰＤＳＣＨをシングルアンテナポートで送信する際に用いられるＤＣＩフォーマットも、基地局装置によって、共通検索領域（ＣＳＳ）に配置される。さらに、移動局装置がＰＵＳＣＨをシングルアンテナポートで送信する際に用いられるＤＣＩフォーマットも、基地局装置によって、共通検索領域（ＣＳＳ）に配置される。例えば、ＤＣＩフォーマット１／１Ａ、ＤＣＩフォーマット０は、基地局装置によって、共通検索領域（ＣＳＳ）に配置される。すなわち、後述するＤＣＩフォーマットＡは、基地局装置によって、共通検索領域（ＣＳＳ）に配置される。ここで、ＤＣＩフォーマット１／１Ａ、ＤＣＩフォーマット０は、基地局装置によって、移動局装置固有検索領域（ＵＳＳ）にも配置される。
【００５４】
また、ある（特定の）移動局装置宛てのＰＤＣＣＨは、基地局装置によって、ある（特定の）移動局装置がＰＤＣＣＨの検索（検出）を試みる移動局装置固有検索領域（ＵＳＳ：User equipment specific Search Space、UE specific Search Spaceとも呼称される）に配置される。
【００５５】
例えば、ＤＣＩフォーマット１／１Ａ、ＤＣＩフォーマット２、ＤＣＩフォーマット０、ＤＣＩフォーマット０Ａは、基地局装置によって、移動局装置固有検索領域（ＵＳＳ）に配置される。すなわち、基地局装置がＰＤＳＣＨをマルチポートで送信する際に用いられるＤＣＩフォーマットは、基地局装置によって、移動局装置固有検索領域（ＵＳＳ）のみに配置される。さらに、移動局装置がＰＵＳＣＨをマルチポートで送信する際に用いられるＤＣＩフォーマットは、基地局装置によって、移動局装置固有検索領域（ＵＳＳ）のみに配置される。すなわち、後述するＤＣＩフォーマットＢは、基地局装置によって、移動局装置固有検索領域（ＵＳＳ）のみに配置される。
【００５６】
また、ＤＣＩフォーマットは、同じビット数を持った複数のＤＣＩフォーマット、異なるビット数を持った複数のＤＣＩフォーマットを定義することができる。例えば、同じビット数を持った複数のＤＣＩフォーマットには、それぞれのＤＣＩフォーマットを識別するためのフラグが付与され、移動局装置は、付与されたフラグをチェックすることによって、それぞれのＤＣＩフォーマットを識別することができる。また、例えば、移動局装置は、異なるビット数を持った複数のＤＣＩフォーマットそれぞれに対して、異なるデコード処理を試みることによって、それぞれのＤＣＩフォーマットを識別することができる。
【００５７】
基地局装置は、ＤＣＩを基に生成した巡回冗長検査（ＣＲＣ：Cyclic Redundancy Check）符号を、ＲＮＴＩ（Radio Network Temporary Identity）でスクランブル（scramble）した系列をＤＣＩに付与して、移動局装置へ送信する。移動局装置は、巡回冗長検査符号がいずれのＲＮＴＩでスクランブルされているかに応じて、ＤＣＩの解釈を変更する。例えば、移動局装置は、ＤＣＩが、基地局装置から割り当てられたＣ−ＲＮＴＩ（Cell-Radio Network Temporary Identity）によって巡回冗長検査符号がスクランブルされていた場合には、そのＤＣＩを、自装置宛のＤＣＩだと判断する。
【００５８】
ＰＤＣＣＨは、移動局装置ごと、種別ごとに別々に符号化（Separate Coding）される。すなわち、移動局装置は、複数のＰＤＣＣＨを検出して、下りリンクのリソース割り当てや、上りリンクのリソース割り当てや、その他の制御情報を取得する。各ＰＤＣＣＨには、巡回冗長検査符号が付与されており、移動局装置は、ＰＤＣＣＨが構成される可能性のあるＣＣＥのセットのそれぞれに対して巡回冗長検査符号のチェックを行い、その結果から、自装置宛のＰＤＣＣＨを取得する。
【００５９】
移動局装置によるこの処理は、ブラインドデコーディング（blind decoding）とも呼称され、移動局装置が、ブラインドデコーディングを行うＰＤＣＣＨが構成される可能性のあるＣＣＥのセットの範囲は、検索領域（Search Space）と呼称される。すなわち、移動局装置は、検索領域内のＣＣＥに対して、ブラインドデコーディングを行い、自装置宛のＰＤＣＣＨの検出を行う。
【００６０】
移動局装置は、自装置宛のＰＤＣＣＨに、ＰＤＳＣＨのリソース割り当てが含まれる場合、基地局装置からのＰＤＣＣＨによって指示されたリソース割り当てに応じて、ＰＤＳＣＨを使用して、下りリンク信号（下りリンクデータ（下りリンク共用チャネル（ＤＬ−ＳＣＨ）に対するトランスポートブロック）および／または下りリンク制御データ（下りリンク制御情報）および／または下りリンク参照信号（ＤＲＳ））を受信する。すなわち、このＰＤＣＣＨは、下りリンクに対するリソース割り当てを行なう信号（以下、「下りリンク送信許可信号」、「下りリンクグラント」とも呼称する）とも言える。
【００６１】
また、移動局装置は、自装置宛のＰＤＣＣＨに、ＰＵＳＣＨのリソース割り当てが含まれる場合、基地局装置からのＰＤＣＣＨによって指示されたリソース割り当てに応じて、ＰＵＳＣＨを使用して、上りリンク信号（上りリンクデータ（上りリンク共用チャネル（ＵＬ−ＳＣＨ）に対するトランスポートブロック）および／または上りリンク制御データ（上りリンク制御情報）および／または上りリンク参照信号（ＵＲＳ））を送信する。すなわち、このＰＤＣＣＨは、上りリンクに対するデータ送信を許可する信号（以下、「上りリンク送信許可信号」、「上りリンクグラント」とも呼称する）とも言える。
【００６２】
ＰＤＳＣＨは、下りリンクデータ（下りリンク共用チャネル（ＤＬ−ＳＣＨ）に対するトランスポートブロック）またはページング情報（ページングチャネル：ＰＣＨ）を送信するために使用されるチャネルである。基地局装置は、ＰＤＣＣＨによって割り当てたＰＤＳＣＨを使用して、下りリンクトランスポートブロック（下りリンク共用チャネル（ＤＬ−ＳＣＨ）に対するトランスポートブロック）を移動局装置へ送信する。
【００６３】
ここで、下りリンクデータとは、例えば、ユーザーデータを示しており、ＤＬ−ＳＣＨは、トランスポートチャネルである。ＤＬ−ＳＣＨでは、ＨＡＲＱ、動的適応無線リンク制御がサポートされ、また、ビームフォーミングを利用可能である。ＤＬ−ＳＣＨは、動的なリソース割り当て、および、準静的なリソース割り当てがサポートされる。
【００６４】
ＰＵＳＣＨは、主に、上りリンクデータ（上りリンク共用チャネル（ＵＬ−ＳＣＨ）に対するトランスポートブロック）を送信するために使用されるチャネルである。移動局装置は、基地局装置から送信されたＰＤＣＣＨによって割り当てられたＰＵＳＣＨを使用して、上りリンクトランスポートブロック（上りリンク共用チャネル（ＵＬ−ＳＣＨ）に対するトランスポートブロック）を基地局装置へ送信する。また、基地局装置が、移動局装置をスケジューリングした場合には、上りリンク制御情報（ＵＣＩ）もＰＵＳＣＨを使用して送信される。
【００６５】
ここで、上りリンクデータとは、例えば、ユーザーデータを示しており、ＵＬ−ＳＣＨは、トランスポートチャネルである。また、ＰＵＳＣＨは、時間領域、周波数領域によって定義される（構成される）物理チャネルである。ＵＬ−ＳＣＨでは、ＨＡＲＱ、動的適応無線リンク制御がサポートされ、また、ビームフォーミングを利用可能である。ＵＬ−ＳＣＨは、動的なリソース割り当て、および、準静的なリソース割り当てがサポートされる。
【００６６】
ここで、上りリンクデータ（ＵＬ−ＳＣＨ）および下りリンクデータ（ＤＬ−ＳＣＨ）には、基地局装置と移動局装置の間でやり取りされる無線資源制御信号（以下、「ＲＲＣシグナリング：Radio Resource Control Signaling」と呼称する）が含まれていても良い。また、上りリンクデータ（ＵＬ−ＳＣＨ）および下りリンクデータ（ＤＬ−ＳＣＨ）には、基地局装置と移動局装置の間でやり取りされるＭＡＣ（Medium Access Control）コントロールエレメントが含まれていても良い。
【００６７】
基地局装置と移動局装置は、ＲＲＣシグナリングを上位層（無線リソース制御（Radio Resource Control）層）において送受信する。また、基地局装置と移動局装置は、ＭＡＣコントロールエレメントを上位層（媒体アクセス制御（ＭＡＣ：Medium Access Control）層）において送受信する。
【００６８】
ＰＵＣＣＨは、上りリンク制御情報（ＵＣＩ）を送信するために使用されるチャネルである。ここで、上りリンク制御情報には、チャネル状態情報（ＣＳＩ）や、チャネル品質識別子（ＣＱＩ）や、プレコーディングマトリックス識別子（ＰＭＩ）や、ランク識別子（ＲＩ）が含まれる。また、上りリンク制御情報には、下りリンクトランスポートブロックに対するＨＡＲＱにおけるＡＣＫ／ＮＡＣＫを示す情報が含まれる。また、上りリンク制御情報には、移動局装置が上りリンクデータを送信するためのリソースの割り当てを要求する（ＵＬ−ＳＣＨでの送信を要求する）スケジューリング要求が含まれる。
【００６９】
［基地局装置の構成］
図２は、本発明の実施形態に係る基地局装置１００の概略構成を示すブロック図である。基地局装置１００は、データ制御部１０１と、送信データ変調部１０２と、無線部１０３と、スケジューリング部１０４と、チャネル推定部１０５と、受信データ復調部１０６と、データ抽出部１０７と、上位層１０８と、アンテナ１０９と、を含んで構成される。また、無線部１０３、スケジューリング部１０４、チャネル推定部１０５、受信データ復調部１０６、データ抽出部１０７、上位層１０８およびアンテナ１０９で受信部を構成し、データ制御部１０１、送信データ変調部１０２、無線部１０３、スケジューリング部１０４、上位層１０８およびアンテナ１０９で送信部を構成している。
【００７０】
アンテナ１０９、無線部１０３、チャネル推定部１０５、受信データ復調部１０６、データ抽出部１０７で上りリンクの物理層の処理を行なう。アンテナ１０９、無線部１０３、送信データ変調部１０２、データ制御部１０１で下りリンクの物理層の処理を行なう。
【００７１】
データ制御部１０１は、スケジューリング部１０４からトランスポートチャネルを受信する。データ制御部１０１は、トランスポートチャネルと、物理層で生成される信号およびチャネルを、スケジューリング部１０４から入力されるスケジューリング情報に基づいて、物理チャネルにマッピングする。以上のようにマッピングされた各データは、送信データ変調部１０２へ出力される。
【００７２】
送信データ変調部１０２は、送信データをＯＦＤＭ方式に変調する。送信データ変調部１０２は、データ制御部１０１から入力されたデータに対して、スケジューリング部１０４からのスケジューリング情報や、各ＰＲＢに対応する変調方式および符号化方式に基づいて、データ変調、符号化、入力信号の直列／並列変換、ＩＦＦＴ（Inverse Fast Fourier Transform：逆高速フーリエ変換）処理、ＣＰ（Cyclic Prefix）挿入、並びに、フィルタリングなどの信号処理を行ない、送信データを生成して、無線部１０３へ出力する。ここで、スケジューリング情報には、下りリンク物理リソースブロックＰＲＢ（Physical Resource Block）割り当て情報、例えば、周波数、時間から構成される物理リソースブロック位置情報が含まれ、各ＰＲＢに対応する変調方式および符号化方式には、例えば、変調方式：１６ＱＡＭ、符号化率：２／３コーディングレートなどの情報が含まれる。
【００７３】
無線部１０３は、送信データ変調部１０２から入力された変調データを無線周波数にアップコンバートして無線信号を生成し、アンテナ１０９を介して、移動局装置２００に送信する。また、無線部１０３は、移動局装置２００からの上りリンクの無線信号を、アンテナ１０９を介して受信し、ベースバンド信号にダウンコンバートして、受信データをチャネル推定部１０５と受信データ復調部１０６とに出力する。
【００７４】
スケジューリング部１０４は、媒体アクセス制御（ＭＡＣ：Medium Access Control）層の処理を行なう。スケジューリング部１０４は、論理チャネルとトランスポートチャネルのマッピング、下りリンクおよび上りリンクのスケジューリング（ＨＡＲＱ処理、トランスポートフォーマットの選択など）などを行なう。スケジューリング部１０４は、各物理層の処理部を統合して制御するため、スケジューリング部１０４と、アンテナ１０９、無線部１０３、チャネル推定部１０５、受信データ復調部１０６、データ制御部１０１、送信データ変調部１０２およびデータ抽出部１０７との間のインターフェースが存在する（ただし、図示しない）。
【００７５】
スケジューリング部１０４は、下りリンクのスケジューリングでは、移動局装置２００から受信した上りリンク信号（ＣＳＩ、ＣＱＩ、ＰＭＩ、ＲＩや、下りリンクトランスポートブロックに対するＡＣＫ／ＮＡＣＫを示す情報や、スケジューリング要求や、参照信号など）や、各移動局装置の使用可能なＰＲＢの情報や、バッファ状況や、上位層１０８から入力されたスケジューリング情報などに基づいて、各データを変調するための下りリンクのトランスポートフォーマット（送信形態、すなわち、物理リソースブロックの割り当ておよび変調方式および符号化方式など）の選定処理およびＨＡＲＱにおける再送制御および下りリンクに使用されるスケジューリング情報の生成を行なう。これら下りリンクのスケジューリングに使用されるスケジューリング情報は、データ制御部１０１へ出力される。
【００７６】
また、スケジューリング部１０４は、上りリンクのスケジューリングでは、チャネル推定部１０５が出力する上りリンクのチャネル状態（無線伝搬路状態）の推定結果、移動局装置２００からのリソース割り当て要求、各移動局装置２００の使用可能なＰＲＢの情報、上位層１０８から入力されたスケジューリング情報などに基づいて、各データを変調するための上りリンクのトランスポートフォーマット（送信形態、すなわち、物理リソースブロックの割り当ておよび変調方式および符号化方式など）の選定処理および上りリンクのスケジューリングに使用されるスケジューリング情報の生成を行なう。これら上りリンクのスケジューリングに使用されるスケジューリング情報は、データ制御部１０１へ出力される。
【００７７】
また、スケジューリング部１０４は、上位層１０８から入力された下りリンクの論理チャネルをトランスポートチャネルにマッピングし、データ制御部１０１へ出力する。また、スケジューリング部１０４は、データ抽出部１０７から入力された上りリンクで取得した制御データとトランスポートチャンネルを、必要に応じて処理した後、上りリンクの論理チャネルにマッピングし、上位層１０８へ出力する。
【００７８】
チャネル推定部１０５は、上りリンクデータの復調のために、復調参照信号（ＤＲＳ：Demodulation Reference Signal）から上りリンクのチャネル状態を推定し、その推定結果を受信データ復調部１０６に出力する。また、上りリンクのスケジューリングを行なうために、サウンディング参照信号（ＳＲＳ：Sounding Reference Signal）から上りリンクのチャネル状態を推定し、その推定結果をスケジューリング部１０４に出力する。
【００７９】
受信データ復調部１０６は、ＯＦＤＭ方式、および／または、ＳＣ−ＦＤＭＡ方式に変調された受信データを復調するＯＦＤＭ復調部および／またはＤＦＴ−Ｓｐｒｅａｄ−ＯＦＤＭ（ＤＦＴ−Ｓ−ＯＦＤＭ）復調部を兼ねている。受信データ復調部１０６は、チャネル推定部１０５から入力された上りリンクのチャネル状態推定結果に基づいて、無線部１０３から入力された変調データに対し、ＤＦＴ変換、サブキャリアマッピング、ＩＦＦＴ変換、フィルタリング等の信号処理を行なって、復調処理を施し、データ抽出部１０７に出力する。
【００８０】
データ抽出部１０７は、受信データ復調部１０６から入力されたデータに対して、正誤を確認するとともに、確認結果（ＡＣＫまたはＮＡＣＫ）をスケジューリング部１０４に出力する。また、データ抽出部１０７は、受信データ復調部１０６から入力されたデータからトランスポートチャネルと物理層の制御データとに分離して、スケジューリング部１０４に出力する。分離された制御データには、移動局装置２００から送信されたＣＳＩ、ＣＱＩ、ＰＭＩ、ＲＩや、下りリンクトランスポートブロックに対するＡＣＫ／ＮＡＣＫを示す情報や、スケジューリング要求などが含まれている。
【００８１】
上位層１０８は、パケットデータ統合プロトコル（ＰＤＣＰ：Packet Data Convergence Protocol）層、無線リンク制御（ＲＬＣ：Radio Link Control）層、無線リソース制御（ＲＲＣ：Radio Resource Control）層の処理を行なう。上位層１０８は、下位層の処理部を統合して制御するため、上位層１０８と、スケジューリング部１０４、アンテナ１０９、無線部１０３、チャネル推定部１０５、受信データ復調部１０６、データ制御部１０１、送信データ変調部１０２およびデータ抽出部１０７との間のインターフェースが存在する（ただし、図示しない）。
【００８２】
上位層１０８は、無線リソース制御部１１０（制御部とも言う。）を有している。また、無線リソース制御部１１０は、各種設定情報の管理、システム情報の管理、ページング制御、各移動局装置の通信状態の管理、ハンドオーバーなどの移動管理、移動局装置ごとのバッファ状況の管理、ユニキャストおよびマルチキャストベアラの接続設定の管理、移動局識別子（ＵＥＩＤ）の管理などを行なっている。上位層１０８は、別の基地局装置への情報および上位ノードへの情報の授受を行なう。
【００８３】
［移動局装置の構成］
図３は、本発明の実施形態に係る移動局装置２００の概略構成を示すブロック図である。移動局装置２００は、データ制御部２０１と、送信データ変調部２０２と、無線部２０３と、スケジューリング部２０４と、チャネル推定部２０５と、受信データ復調部２０６と、データ抽出部２０７と、上位層２０８、アンテナ２０９と、を含んで構成されている。また、データ制御部２０１、送信データ変調部２０２、無線部２０３、スケジューリング部２０４、上位層２０８、アンテナ２０９で送信部を構成し、無線部２０３、スケジューリング部２０４、チャネル推定部２０５、受信データ復調部２０６、データ抽出部２０７、上位層２０８、アンテナ２０９で受信部を構成している。
【００８４】
データ制御部２０１、送信データ変調部２０２、無線部２０３、で上りリンクの物理層の処理を行なう。無線部２０３、チャネル推定部２０５、受信データ復調部２０６、データ抽出部２０７、で下りリンクの物理層の処理を行なう。
【００８５】
データ制御部２０１は、スケジューリング部２０４からトランスポートチャネルを受信する。トランスポートチャネルと、物理層で生成される信号およびチャネルを、スケジューリング部２０４から入力されるスケジューリング情報に基づいて、物理チャネルにマッピングする。このようにマッピングされた各データは、送信データ変調部２０２へ出力される。
【００８６】
送信データ変調部２０２は、送信データをＯＦＤＭ方式、および／または、ＳＣ−ＦＤＭＡ方式に変調する。送信データ変調部２０２は、データ制御部２０１から入力されたデータに対し、データ変調、ＤＦＴ（離散フーリエ変換）処理、サブキャリアマッピング、ＩＦＦＴ（逆高速フーリエ変換）処理、ＣＰ挿入、フィルタリングなどの信号処理を行ない、送信データを生成して、無線部２０３へ出力する。
【００８７】
無線部２０３は、送信データ変調部２０２から入力された変調データを無線周波数にアップコンバートして無線信号を生成し、アンテナ２０９を介して、基地局装置１００に送信する。また、無線部２０３は、基地局装置１００からの下りリンクのデータで変調された無線信号を、アンテナ２０９を介して受信し、ベースバンド信号にダウンコンバートして、受信データを、チャネル推定部２０５および受信データ復調部２０６に出力する。
【００８８】
スケジューリング部２０４は、媒体アクセス制御（ＭＡＣ：Medium Access Control）層の処理を行なう。スケジューリング部２０４は、論理チャネルとトランスポートチャネルのマッピング、下りリンクおよび上りリンクのスケジューリング（ＨＡＲＱ処理、トランスポートフォーマットの選択など）などを行なう。スケジューリング部２０４は、各物理層の処理部を統合して制御するため、スケジューリング部２０４と、アンテナ２０９、データ制御部２０１、送信データ変調部２０２、チャネル推定部２０５、受信データ復調部２０６、データ抽出部２０７および無線部２０３との間のインターフェースが存在する（ただし、図示しない）。
【００８９】
スケジューリング部２０４は、下りリンクのスケジューリングでは、基地局装置１００や上位層２０８からのスケジューリング情報（トランスポートフォーマットやＨＡＲＱ再送情報）などに基づいて、トランスポートチャネルおよび物理信号および物理チャネルの受信制御、ＨＡＲＱ再送制御および下りリンクのスケジューリングに使用されるスケジューリング情報の生成を行なう。これら下りリンクのスケジューリングに使用されるスケジューリング情報は、データ制御部２０１へ出力される。
【００９０】
スケジューリング部２０４は、上りリンクのスケジューリングでは、上位層２０８から入力された上りリンクのバッファ状況、データ抽出部２０７から入力された基地局装置１００からの上りリンクのスケジューリング情報（トランスポートフォーマットやＨＡＲＱ再送情報など）、および、上位層２０８から入力されたスケジューリング情報などに基づいて、上位層２０８から入力された上りリンクの論理チャネルをトランスポートチャネルにマッピングするためのスケジューリング処理および上りリンクのスケジューリングに使用されるスケジューリング情報の生成を行なう。なお、上りリンクのトランスポートフォーマットについては、基地局装置１００から通知された情報を利用する。これらスケジューリング情報は、データ制御部２０１へ出力される。
【００９１】
また、スケジューリング部２０４は、上位層２０８から入力された上りリンクの論理チャネルをトランスポートチャネルにマッピングし、データ制御部２０１へ出力する。また、スケジューリング部２０４は、チャネル推定部２０５から入力されたＣＳＩや、ＣＱＩや、ＰＭＩや、ＲＩや、データ抽出部２０７から入力されたＣＲＣチェックの確認結果についても、データ制御部２０１へ出力する。また、スケジューリング部２０４は、データ抽出部２０７から入力された下りリンクで取得した制御データとトランスポートチャネルを、必要に応じて処理した後、下りリンクの論理チャネルにマッピングし、上位層２０８へ出力する。
【００９２】
チャネル推定部２０５は、下りリンクデータの復調のために、復調参照信号から下りリンクのチャネル状態を推定し、その推定結果を受信データ復調部２０６に出力する。また、チャネル推定部２０５は、基地局装置１００に下りリンクのチャネル状態（無線伝搬路状態、ＣＳＩ、ＣＱＩ、ＰＭＩ、ＲＩ）の推定結果を通知するために、下りリンク参照信号から下りリンクのチャネル状態を推定し、この推定結果を、例えば、ＣＳＩや、ＣＱＩや、ＰＭＩや、ＲＩとして、スケジューリング部２０４に出力する。
【００９３】
受信データ復調部２０６は、ＯＦＤＭ方式に変調された受信データを復調する。受信データ復調部２０６は、チャネル推定部２０５から入力された下りリンクのチャネル状態推定結果に基づいて、無線部２０３から入力された変調データに対して、復調処理を施し、データ抽出部２０７に出力する。
【００９４】
データ抽出部２０７は、受信データ復調部２０６から入力されたデータに対して、ＣＲＣチェックを行ない、正誤を確認するとともに、確認結果（ＡＣＫまたはＮＡＣＫを示す情報）をスケジューリング部２０４に出力する。また、データ抽出部２０７は、受信データ復調部２０６から入力されたデータからトランスポートチャネルと物理層の制御データに分離して、スケジューリング部２０４に出力する。分離された制御データには、下りリンクまたは上りリンクのリソース割り当てや上りリンクのＨＡＲＱ制御情報などのスケジューリング情報が含まれている。
【００９５】
上位層２０８は、パケットデータ統合プロトコル（ＰＤＣＰ：Packet Data Convergence Protocol）層、無線リンク制御（ＲＬＣ：Radio Link Control）層、無線リソース制御（ＲＲＣ：Radio Resource Control）層の処理を行なう。上位層２０８は、下位層の処理部を統合して制御するため、上位層２０８と、スケジューリング部２０４、アンテナ２０９、データ制御部２０１、送信データ変調部２０２、チャネル推定部２０５、受信データ復調部２０６、データ抽出部２０７および無線部２０３との間のインターフェースが存在する（ただし、図示しない）。
【００９６】
上位層２０８は、無線リソース制御部２１０（制御部とも言う）を有している。無線リソース制御部２１０は、各種設定情報の管理、システム情報の管理、ページング制御、自局の通信状態の管理、ハンドオーバーなどの移動管理、バッファ状況の管理、ユニキャストおよびマルチキャストベアラの接続設定の管理、移動局識別子（ＵＥＩＤ）の管理を行なう。
【００９７】
（第１の実施形態）
次に、基地局装置１００および移動局装置２００を用いた移動通信システムにおける第１の実施形態を説明する。第１の実施形態では、基地局装置は、ＳＲＳに対するシングルアンテナポート送信またはマルチアンテナポート送信を指示する情報を含むＤＣＩフォーマットを移動局装置へ通知し、移動局装置は、情報に従って、シングルアンテナポートまたはマルチアンテナに対するＳＲＳを基地局装置へ送信する。
【００９８】
また、基地局装置は、ＳＲＳに対するシングルアンテナポート送信を指示する情報を含むＤＣＩフォーマットを移動局装置へ通知し、移動局装置は、情報に従って、シングルアンテナポートに対するＳＲＳを前記基地局装置へ送信する。
【００９９】
また、基地局装置は、ＳＲＳに対するマルチアンテナ送信を指示する情報を含むＤＣＩフォーマットを移動局装置へ通知し、移動局装置は、情報に従って、マルチアンテナに対するＳＲＳを基地局装置へ送信する。
【０１００】
この際、基地局装置は、移動局装置に対して、ＤＣＩフォーマットを使用してＳＲＳの送信を指示（要求、トリガ）し、移動局装置は、基地局装置からのＤＣＩフォーマットに従って、非周期的にＳＲＳ（Ａ−ＳＲＳ）を基地局装置へ送信する。例えば、基地局装置は、ＤＣＩフォーマットにＳＲＳの送信指示を含めて移動局装置へ通知することによって、移動局装置に対して、ＳＲＳの送信を指示することができる。また、例えば、移動局装置は、基地局装置からのＤＣＩフォーマットにＳＲＳの送信指示が含まれている場合には、非周期的にＳＲＳ（Ａ−ＳＲＳ）を基地局装置へ送信することができる。以下、非周期的なＳＲＳ（Ａ−ＳＲＳ）の送信を、単に、ＳＲＳの送信とも記載する。
【０１０１】
図４は、第１の実施形態におけるＳＲＳの送信の例を示す図である。ここで、第１の実施形態は、上述した周波数集約（対称周波数帯域集約、非対称周波数帯域集約）された移動通信システムに対しても適用可能である。図４において、横軸はサブフレーム（時間）を示している。図４では、例として、サブフレームｎ−２からサブフレームｎ＋２０のサブフレームを示している。
【０１０２】
図４は、基地局装置が、物理チャネル（例えば、ＰＤＳＣＨ）をマルチアンテナポートで移動局装置へ送信することを設定した際の動作に対して適用可能である。図４において、例えば、基地局装置は、ＲＲＣシグナリングを使用して物理チャネル（例えば、ＰＤＳＣＨ）の送信モード（送信スキーム）を設定することによって、物理チャネル（例えば、ＰＤＳＣＨ）をマルチアンテナポートで移動局装置へ送信することを通知することができる。
【０１０３】
また、図４は、基地局装置が、物理チャネル（例えば、ＰＵＳＣＨ）をマルチアンテナポートで基地局装置へ送信することを設定した際の動作に対しても適用可能である。図４において、例えば、基地局装置は、ＲＲＣシグナリングを使用して物理チャネル（例えば、ＰＵＳＣＨ）の送信モード（送信スキーム）を設定することによって、物理チャネル（例えば、ＰＵＳＣＨ）をマルチアンテナポートで基地局装置へ送信することを通知することができる。
【０１０４】
また、図４では、基地局装置が、ＳＲＳサブフレームとして、サブフレームｎ−２、サブフレームｎ、サブフレームｎ＋２、サブフレームｎ＋４、サブフレームｎ＋６、サブフレームｎ＋８、サブフレームｎ＋１０、サブフレームｎ＋１２、サブフレームｎ＋１４、サブフレームｎ＋１６、サブフレームｎ＋１８、サブフレームｎ＋２０を移動局装置へ設定していることを示している。ＳＲＳサブフレームに関しては、後述する。
【０１０５】
図４において、基地局装置は、移動局装置に対して、ＤＣＩフォーマットを使用してＳＲＳの送信を指示（要求、トリガ）し、移動局装置は、基地局装置からのＤＣＩフォーマットに従って、非周期的にＳＲＳ（Ａ−ＳＲＳ）を基地局装置へ送信する。
【０１０６】
例えば、図４において、基地局装置は、ＰＤＳＣＨをシングルアンテナポートで送信するためにのみ用いられるＤＣＩフォーマットを使用して、移動局装置に対して、ＳＲＳの送信を指示することができる。例えば、基地局装置は、ＰＤＳＣＨをシングルアンテナポートで送信するためにのみ用いられるＤＣＩフォーマットに、ＳＲＳの送信指示を含めて移動局装置へ通知することによって、移動局装置に対して、ＳＲＳの送信を指示することができる。
【０１０７】
すなわち、基地局装置は、上述したような、ＤＣＩフォーマット１／１Ａ（ＤＣＩフォーマット１／１Ａと同様のＤＣＩフォーマットでも良い）を使用して、移動局装置に対して、ＳＲＳの送信を指示することができる。
【０１０８】
また、例えば、基地局装置は、移動局装置がＰＵＳＣＨをシングルアンテナポートで送信するためにのみ用いられるＤＣＩフォーマットを使用して、移動局装置に対して、ＳＲＳの送信を指示することができる。例えば、基地局装置は、移動局装置がＰＵＳＣＨをシングルアンテナポートで送信するためにのみ用いられるＤＣＩフォーマットに、ＳＲＳの送信指示を含めて移動局装置へ通知することによって、移動局装置に対して、ＳＲＳの送信を指示することができる。
【０１０９】
すなわち、基地局装置は、上述したような、ＤＣＩフォーマット０（ＤＣＩフォーマット０と同様のＤＣＩフォーマットでも良い）を使用して、移動局装置に対して、ＳＲＳの送信を指示することができる。
【０１１０】
以下、簡単のために、この下りリンク／上りリンクの物理チャネル（ＰＤＳＣＨ／ＰＵＳＣＨ）をシングルアンテナポートで送信するためにのみ用いられるＤＣＩフォーマット（ＤＣＩフォーマット１／１Ａ、ＤＣＩフォーマット１／１Ａと同様のＤＣＩフォーマット、ＤＣＩフォーマット０、ＤＣＩフォーマット０と同様のＤＣＩフォーマット）を、ＤＣＩフォーマットＡと呼称する。
【０１１１】
すなわち、ＤＣＩフォーマットＡは、基地局装置が、ＰＤＳＣＨをシングルアンテナポートで送信するためにのみ用いられる（以下、このＤＣＩフォーマットＡを、下りリンクに対するＤＣＩフォーマットＡとも呼称する）。また、ＤＣＩフォーマットＡは、移動局装置が、ＰＵＳＣＨをシングルアンテナポートで送信するためにのみ用いられる（以下、このＤＣＩフォーマットＡを、上りリンクに対するＤＣＩフォーマットＡとも呼称する）。ここで、下りリンクに対するＤＣＩフォーマットＡは、基地局装置が、１つのＰＤＳＣＨコードワードをスケジューリングするために使用される。また、上りリンクに対するＤＣＩフォーマットＡは、基地局装置が、１つのＰＵＳＣＨコードワードをスケジューリングするために使用される。
【０１１２】
例えば、下りリンクに対するＤＣＩフォーマットＡで送信される下りリンク制御情報には、リソース割り当てタイプを示すリソース割り当てヘッダ情報（Resource allocation header）、ＰＤＳＣＨに対するリソース割り当て情報（Resource block assignment）、変調方式や符号化率を示すＭＣＳ情報（Modulation and Coding Scheme）、ＨＡＲＱのプロセスナンバーを示す情報（HARQ process number）、送信データが新データかどうかを識別するための情報（New data indicator）、再送用のパラメータを示す情報（Redundancy version）、ＰＵＣＣＨに対するＴＰＣコマンド情報（TPC command for PUCCH）が含まれる。
【０１１３】
また、例えば、下りリンクに対するＤＣＩフォーマットＡで送信される下りリンク制御情報には、他のＤＣＩフォーマットとの識別に使用される情報（Flag for format differentiation）、バーチャルリソースブロックの割り当て方法の識別に使用される情報（Localized/Distributed VRB assignment flag）、パディングビット（Padding bit）が含まれる。
【０１１４】
すなわち、これらの下りリンク制御情報（下りリンク制御情報ビット）がマップされる情報フィールドが、下りリンクに対するＤＣＩフォーマットＡに定義される。
【０１１５】
また、例えば、上りリンクに対するＤＣＩフォーマットＡで送信される下りリンク制御情報には、他のＤＣＩフォーマットとの識別に使用される情報（Flag for format differentiation）、ホッピングを伴う送信を指示する情報（Hopping flag）、ＰＵＳＣＨに対するリソース割り当て情報（Resource block assignment）、変調方式や符号化率、再送用のパラメータを示す情報（Modulation and Coding Scheme and Redundancy version）、送信データが新データかどうかを識別するための情報（New data indicator）、スケジュールされたＰＵＳＣＨに対するＴＰＣコマンド（TPC command for scheduled PUSCH）情報、復調参照信号に施されるサイクリックシフトを示す情報（Cyclic shift for DM RS）、ＣＱＩの送信要求情報（CQI request）、パディングビット（Padding bit）が含まれる。
【０１１６】
すなわち、これらの下りリンク制御情報（下りリンク制御情報ビット）がマップされる情報フィールドが、上りリンクに対するＤＣＩフォーマットＡに定義される。
【０１１７】
基地局装置は、ＤＣＩフォーマットＡ（下りリンクに対するＤＣＩフォーマットＡ、上りリンクに対するＤＣＩフォーマットＡ）にＳＲＳの送信指示を含めて移動局装置へ送信し、移動局装置に対して、ＳＲＳの送信を指示することができる。
【０１１８】
ここで、基地局装置によるＳＲＳの送信指示は、例えば、ＤＣＩフォーマットＡに、ＳＲＳの送信指示に対する情報フィールド（例えば、１ビットの情報フィールド）を定義することによって、実現することができる。
【０１１９】
また、ＳＲＳの送信指示は、上述したような、下りリンクに対するＤＣＩフォーマットＡに含まれる情報フィールド（情報）の中の、ある特定の情報フィールド（情報）をある特定の値にセットすることによって、実現することができる。
【０１２０】
例えば、ＳＲＳの送信指示は、下りリンクに対するＤＣＩフォーマットＡに含まれるFlag for format differentiationを“０”に、Localized/Distributed VRB assignment flagを“１”にセットすることによって、実現することができる。また、この際、下りリンクに対するＤＣＩフォーマットＡに含まれる残りの情報フィールド（ある特定の情報フィールド以外の情報フィールド）を、移動局装置が、ＳＲＳを送信するための情報フィールド（移動局装置が、ＳＲＳを送信する際に使用するＡ−ＳＲＳパラメータがマップされる情報フィールド）として使用することもできる。
【０１２１】
また、例えば、ＳＲＳの送信指示は、上述したような、上りリンクに対するＤＣＩフォーマットＡに含まれる情報フィールド（情報）の中の、ある特定の情報フィールド（情報）をある特定の値にセットすることによって、実現することができる。
【０１２２】
例えば、ＳＲＳの送信指示は、上りリンクに対するＤＣＩフォーマットＡに含まれるFlag for format differentiationを“０”に、Resource block assignmentを“１”に設定することによって、実現することができる。また、この際、上りリンクに対するＤＣＩフォーマットＡに含まれる残りの情報フィールド（ある特定の情報フィールド以外の情報フィールド）を、ＳＲＳを送信するための情報フィールド（移動局装置が、ＳＲＳを送信する際に使用するＡ−ＳＲＳパラメータがマップされる情報フィールド）として使用することもできる。
【０１２３】
ここで、ＤＣＩフォーマットＡ（下りリンクに対するＤＣＩフォーマットＡ、上りリンクに対するＤＣＩフォーマットＡ）に含まれるどの情報フィールド（どの情報）をどの値にセットした際に、ＳＲＳの送信指示を示すのかは、仕様等によって事前に定義され、基地局装置と移動局装置の間で、既知とすることができる。
【０１２４】
移動局装置は、事前に定義された情報フィールドがある特定の値にセットされているかどうかに応じて、例えば、下りリンク／上りリンクに対するスケジューリングを指示しているのか、ＳＲＳの送信を指示しているのかを認識する。すなわち、移動局装置は、事前に定義された情報フィールドがある特定の値にセットされているかどうかに応じて、ＤＣＩフォーマットＡに含まれる情報フィールドの解釈を変更する。
【０１２５】
すなわち、図４において、基地局装置は、ＤＣＩフォーマットＡに、ＳＲＳの送信指示を明示的に（explicitly）含めて移動局装置へ通知し（例えば、ＳＲＳの送信を指示する１ビットの情報を移動局装置へ通知し）、移動局装置に対して、ＳＲＳの送信を指示することができる。また、基地局装置は、ＤＣＩフォーマットＡに含まれるある特定の情報フィールドをある特定の値にセットすることによって、ＳＲＳの送信指示を暗示的に（implicitly）移動局装置へ通知し、移動局装置に対して、ＳＲＳの送信を指示することができる。
【０１２６】
また、図４において、基地局装置は、ＰＤＳＣＨをマルチアンテナポートで送信するために用いられるＤＣＩフォーマットを使用して、移動局装置に対して、ＳＲＳの送信を指示することができる。例えば、基地局装置は、ＰＤＳＣＨをマルチアンテナポートで送信するために用いられるＤＣＩフォーマットに、ＳＲＳの送信指示を含めて移動局装置へ通知することによって、移動局装置に対して、ＳＲＳの送信を指示することができる。
【０１２７】
すなわち、基地局装置は、上述したようなＤＣＩフォーマット２（ＤＣＩフォーマット２と同様のＤＣＩフォーマットでも良い）を使用して、移動局装置に対して、ＳＲＳの送信を指示することができる。
【０１２８】
また、例えば、基地局装置は、移動局装置が、ＰＵＳＣＨをマルチアンテナポートで送信するために用いられるＤＣＩフォーマットを使用して、移動局装置に対して、ＳＲＳの送信を指示することができる。例えば、基地局装置は、移動局装置が、ＰＵＳＣＨをマルチアンテナポートで送信するために用いられるＤＣＩフォーマットに、ＳＲＳの送信指示を含めて移動局装置へ通知することによって、移動局装置に対して、ＳＲＳの送信を指示することができる。
【０１２９】
すなわち、基地局装置は、上述したようなＤＣＩフォーマット０Ａ（ＤＣＩフォーマット０Ａと同様のＤＣＩフォーマットでも良い）を使用して、移動局装置に対して、ＳＲＳの送信を指示することができる。
【０１３０】
以下、簡単のために、この下りリンク／上りリンクの物理チャネル（ＰＤＳＣＨ／ＰＵＳＣＨ）をマルチアンテナポートで送信するために用いられるＤＣＩフォーマット（ＤＣＩフォーマット２、ＤＣＩフォーマット２と同様のＤＣＩフォーマット、ＤＣＩフォーマット０Ａ、ＤＣＩフォーマット０Ａと同様のＤＣＩフォーマット）を、ＤＣＩフォーマットＢと呼称する。
【０１３１】
すなわち、ＤＣＩフォーマットＢは、基地局装置が、ＰＤＳＣＨをマルチアンテナポートで送信するために用いられる（以下、このＤＣＩフォーマットＢを、下りリンクに対するＤＣＩフォーマットＢとも呼称する）。また、ＤＣＩフォーマットＢは、移動局装置が、ＰＵＳＣＨをマルチアンテナポートで送信するために用いられる（以下、このＤＣＩフォーマットＢを、上りリンクに対するＤＣＩフォーマットＢとも呼称する）。ここで、下りリンクに対するＤＣＩフォーマットＢは、基地局装置が、２つの（複数の）ＰＤＳＣＨコードワードをスケジューリングするために使用される。また、上りリンクに対するＤＣＩフォーマットＢは、基地局装置が、２つ（複数の）のＰＵＳＣＨコードワードをスケジューリングするために使用される。
【０１３２】
ここで、下りリンクに対するＤＣＩフォーマットＢは、基地局装置が、ＰＤＳＣＨをシングルアンテナポートで送信するために使用されても良い。また、上りリンクに対するＤＣＩフォーマットＢは、移動局装置が、ＰＵＳＣＨをシングルアンテナポートで送信するために使用されても良い。
【０１３３】
例えば、下りリンクに対するＤＣＩフォーマットＢで送信される下りリンク制御情報には、リソース割り当てタイプを示すリソース割り当てヘッダ情報（Resource allocation header）、ＰＤＳＣＨに対するリソース割り当て情報（Resource block assignment）、２つの（複数の）コードワード（トランスポートブロックとも言える）それぞれに対する変調方式や符号化率を示すＭＣＳ情報（Modulation and Coding Scheme）、ＨＡＲＱのプロセスナンバーを示す情報（HARQ process number）、２つの（複数の）コードワードそれぞれに対して送信データが新データかどうかを識別するための情報（New data indicator）、２つの（複数の）コードワードそれぞれに対する再送用のパラメータを示す情報（Redundancy version）、２つの（複数の）コードワードがマップされるレイヤに施される前処理情報（プレコーディング情報、precoding information）、ＰＵＣＣＨに対するＴＰＣコマンド情報（TPC command for PUCCH）が含まれる。
【０１３４】
すなわち、これらの下りリンク制御情報（下りリンク制御情報ビット）がマップされる情報フィールドが、下りリンクに対するＤＣＩフォーマットＢに定義される。
【０１３５】
また、例えば、上りリンクに対するＤＣＩフォーマットＢで送信される下りリンク制御情報には、他のＤＣＩフォーマットとの識別に使用される情報（Flag for format differentiation）、ホッピングを伴う送信を指示する情報（Hopping flag）、ＰＵＳＣＨに対するリソース割り当て情報（Resource block assignment）、２つの（複数の）コードワード（トランスポートブロックとも言える）それぞれに対する変調方式や符号化率、再送用のパラメータを示す情報（Modulation and Coding Scheme and Redundancy version）、２つの（複数の）コードワードそれぞれに対して送信データが新データかどうかを識別するための情報（New data indicator）、スケジュールされたＰＵＳＣＨに対するＴＰＣコマンド（TPC command for scheduled PUSCH）情報、２つの（複数の）コードワードがマップされるレイヤごとに送信される復調参照信号に施されるサイクリックシフトを示す情報（Cyclic shift for DM RS）、２つの（複数の）コードワードがマップされるレイヤに施される前処理情報（プレコーディング情報、precoding information）、ＣＱＩの送信要求情報（CQI request）、パディングビット（Padding bit）が含まれる。
【０１３６】
すなわち、これらの下りリンク制御情報（下りリンク制御情報ビット）がマップされる情報フィールドが、上りリンクに対するＤＣＩフォーマットＢに定義される。
【０１３７】
基地局装置は、ＤＣＩフォーマットＢ（下りリンクに対するＤＣＩフォーマットＢ、上りリンクに対するＤＣＩフォーマットＢ）にＳＲＳの送信指示を含めて移動局装置へ送信し、移動局装置に対して、ＳＲＳの送信を指示することができる。
【０１３８】
ここで、基地局装置によるＳＲＳの送信指示は、例えば、ＤＣＩフォーマットＢに、ＳＲＳの送信指示に対する情報フィールド（例えば、１ビットの情報フィールド）を定義することによって、実現することができる。
【０１３９】
また、ＳＲＳの送信指示は、上述したような、下りリンクに対するＤＣＩフォーマットＢに含まれる情報フィールド（情報）の中の、ある特定の情報フィールド（情報）をある特定の値にセットすることによって、実現することができる。
【０１４０】
例えば、ＳＲＳの送信指示は、下りリンクに対するＤＣＩフォーマットＢに含まれるFlag for format differentiationを“０”に、Localized/Distributed VRB assignment flagを“１”にセットすることによって、実現することができる。また、この際、下りリンクに対するＤＣＩフォーマットＢに含まれる残りの情報フィールド（ある特定の情報フィールド以外の情報フィールド）を、移動局装置が、ＳＲＳを送信するための情報フィールド（移動局装置が、ＳＲＳを送信する際に使用するＡ−ＳＲＳパラメータがマップされる情報フィールド）として使用することもできる。
【０１４１】
また、例えば、ＳＲＳの送信指示は、上述したような、上りリンクに対するＤＣＩフォーマットＢに含まれる情報フィールド（情報）の中の、ある特定の情報フィールド（情報）をある特定の値にセットすることによって、実現することができる。
【０１４２】
例えば、ＳＲＳの送信指示は、上りリンクに対するＤＣＩフォーマットＢに含まれるFlag for format differentiationを“０”に、Resource block assignmentを“１”に設定することによって、実現することができる。また、この際、上りリンクに対するＤＣＩフォーマットＢに含まれる残りの情報フィールド（ある特定の情報フィールド以外の情報フィールド）を、ＳＲＳを送信するための情報フィールド（移動局装置が、ＳＲＳを送信する際に使用するＡ−ＳＲＳパラメータがマップされる情報フィールド）として使用することもできる。
【０１４３】
ここで、ＤＣＩフォーマットＢ（下りリンクに対するＤＣＩフォーマットＢ、上りリンクに対するＤＣＩフォーマットＢ）に含まれるどの情報フィールド（どの情報）をどの値にセットした際に、ＳＲＳの送信指示を示すのかは、仕様等によって事前に定義され、基地局装置と移動局装置の間で、既知とすることができる。
【０１４４】
移動局装置は、事前に定義された情報フィールドがある特定の値にセットされているかどうかに応じて、例えば、下りリンク／上りリンクに対するスケジューリングを指示しているのか、ＳＲＳの送信を指示しているのかを認識する。すなわち、移動局装置は、事前に定義された情報フィールドがある特定の値にセットされているかどうかに応じて、ＤＣＩフォーマットＢに含まれる情報フィールドの解釈を変更する。
【０１４５】
すなわち、図４において、基地局装置は、ＤＣＩフォーマットＢに、ＳＲＳの送信指示を明示的に（explicitly）含めて移動局装置へ通知し（例えば、ＳＲＳの送信を指示する１ビットの情報を移動局装置へ通知し）、移動局装置に対して、ＳＲＳの送信を指示することができる。また、基地局装置は、ＤＣＩフォーマットＢに含まれるある特定の情報フィールドをある特定の値にセットすることによって、ＳＲＳの送信指示を暗示的に（implicitly）移動局装置へ通知し、移動局装置に対して、ＳＲＳの送信を指示することができる。
【０１４６】
基地局装置によってＡ−ＳＲＳの送信が指示された移動局装置は、非周期的にＳＲＳ（Ａ−ＳＲＳ）を基地局装置へ送信する。例えば、移動局装置は、基地局装置からＳＲＳの送信指示を含むＤＣＩフォーマットを受信したサブフレームから所定後のサブフレーム（例えば、４サブフレーム後のサブフレーム）で、ＳＲＳを送信する。
【０１４７】
また、例えば、移動局装置は、基地局装置からＳＲＳの送信指示を含むＤＣＩフォーマットを受信したサブフレームよりも後のＳＲＳサブフレーム（ＳＲＳを送信可能なサブフレーム）で、ＳＲＳを送信することができる。例えば、移動局装置は、基地局装置からＳＲＳの送信指示を含むＤＣＩフォーマットを受信したサブフレームから所定後のサブフレームに最も近いＳＲＳサブフレーム（例えば、ＤＣＩフォーマットを受信したサブフレームから４サブフレーム後のサブフレームに最も近い（最初の）ＳＲＳサブフレーム）で、ＳＲＳを送信することができる。
【０１４８】
図４は、移動局装置が、基地局装置からＳＲＳの送信指示を含むＤＣＩフォーマットを受信したサブフレームから４サブフレーム後のサブフレームに最も近い（最初の）ＳＲＳサブフレームで、ＳＲＳを送信していることを示している。
【０１４９】
ここで、基地局装置は、移動局装置に対して、ＳＲＳサブフレーム（ＳＲＳを送信可能なサブフレーム）を、セル固有（cell-specifically）に設定することができる。また、基地局装置は、移動局装置に対して、ＳＲＳサブフレームを、移動局装置固有（UE-specifically）に設定することができる。例えば、基地局装置は、ＳＲＳサブフレームを、報知情報を使用して、セル固有に、移動局装置へ設定することができる。また、基地局装置は、ＳＲＳサブフレームを、ＲＲＣシグナリングを使用して、移動局装置固有に、移動局装置へ設定することができる。
【０１５０】
また、基地局装置は、移動局装置が、非周期的にＳＲＳ（Ａ−ＳＲＳ）を送信する際に使用するパラメータ（Ａ−ＳＲＳパラメータ）を、移動局装置に対して設定することができる。例えば、基地局装置は、Ａ−ＳＲＳパラメータを、ＲＲＣシグナリングを使用して、移動局装置固有に、移動局装置へ設定することができる。また、上述したように、基地局装置は、ＤＣＩフォーマットにＡ−ＳＲＳパラメータを含めて、移動局装置へ通知することができる。
【０１５１】
ここで、Ａ−ＳＲＳパラメータには、移動局装置が、ＳＲＳを送信する際の送信帯域幅（ＳＲＳ送信帯域幅）を指示する情報が含まれる。また、Ａ−ＳＲＳパラメータには、移動局装置が、ＳＲＳを送信する際に移動局装置間または信号（ＳＲＳ）間の直交性を維持するために使用されるサイクリックシフト（ＣＳ：Cyclic Shit）を指示する情報が含まれる。また、Ａ−ＳＲＳパラメータには、移動局装置が、ＳＲＳを送信する際にＳＲＳを配置する周波数位置（周波数割り当て位置）を指示する情報が含まれる。また、Ａ−ＳＲＳパラメータには、移動局装置が、ＳＲＳを送信する際のＴＰＣコマンド（送信電力制御情報）が含まれる。
【０１５２】
ここで、Ａ−ＳＲＳパラメータは、基地局装置によって、複数のアンテナポート毎（複数のアンテナ毎でも良い）に独立に設定されても良い。例えば、基地局装置は、移動局装置が、マルチアンテナポートに対するＳＲＳを送信する際に使用するＡ−ＳＲＳパラメータを、それぞれのアンテナポート毎（それぞれのアンテナ毎でも良い）に独立に設定することができる。また、基地局装置は、移動局装置が、シングルアンテナポートに対するＳＲＳを送信する際に使用するＡ−ＳＲＳパラメータを独立に設定することができる。
【０１５３】
例えば、基地局装置は、移動局装置が、４つのアンテナポートに対するＳＲＳを送信する際のＡ−ＳＲＳパラメータとして、アンテナポート＃１に対するＡ−ＳＲＳパラメータ、アンテナポート＃２に対するＡ−ＳＲＳパラメータ、アンテナポート＃３に対するＡ−ＳＲＳパラメータ、アンテナポート＃４に対するＡ−ＳＲＳパラメータ、シングルアンテナポートに対するＳＲＳを送信する際のＡ−ＳＲＳパラメータを独立に設定することができる。
【０１５４】
移動局装置は、基地局装置によって独立に設定されたＡ−ＳＲＳパラメータに従って、ＳＲＳを基地局装置へ送信する。例えば、移動局装置は、マルチアンテナポートに対するＳＲＳを基地局装置へ送信する際には、複数のアンテナポート毎に独立に設定されたＡ−ＳＲＳパラメータに従って、それぞれのアンテナポートに対するＳＲＳを送信する。また、移動局装置は、シングルアンテナポートに対するＳＲＳを送信する際には、独立に設定されたＡ−ＳＲＳパラメータに従って、シングルアンテナポートに対するＳＲＳを送信する。
【０１５５】
ここで、移動局装置は、シングルアンテナポートに対するＳＲＳを送信する際に、複数のアンテナポート毎に独立に設定されたいずれかのＡ−ＳＲＳパラメータを使用しても良い。例えば、移動局装置は、シングルアンテナポートに対するＳＲＳを送信する際に、アンテナポート＃１に対するＡ−ＳＲＳパラメータ、アンテナポート＃２に対するＡ−ＳＲＳパラメータ、アンテナポート＃３に対するＡ−ＳＲＳパラメータ、アンテナポート＃４に対するＡ−ＳＲＳパラメータのいずれかのＡ−ＳＲＳパラメータを使用することができる。
【０１５６】
移動局装置が、シングルアンテナポートに対するＳＲＳを送信する際に、複数のアンテナポート毎に独立に設定されたいずれかのＡ−ＳＲＳパラメータを使用することによって、基地局装置が、シングルアンテナポートでＳＲＳを送信する際のＡ−ＳＲＳパラメータを設定する必要がなくなり（複数のアンテナポート毎に独立に設定されたいずれかのＡ−ＳＲＳパラメータとシングルアンテナポートでＳＲＳを送信する際のＡ−ＳＲＳパラメータを共有化することができ）、無線リソースをより効率的に使用してＡ−ＳＲＳパラメータを設定することができる。
【０１５７】
図４において、基地局装置は、ＤＣＩフォーマットＡにＳＲＳの送信指示を含めて移動局装置へ通知する。ここで、基地局装置は、ＤＣＩフォーマットＡにＳＲＳに対するシングルアンテナポート送信またはマルチアンテナポート送信を指示する情報を含めて移動局装置へ通知することができる。すなわち、基地局装置は、ＤＣＩフォーマットＡに、ＳＲＳの送信指示、および、ＳＲＳに対するシングルアンテナポート送信またはマルチアンテナポート送信を指示する情報を含めて移動局装置へ通知することができる。
【０１５８】
例えば、基地局装置は、ＳＲＳに対するシングルアンテナポート送信またはマルチアンテナポート送信を指示する情報として、１ビットの情報を移動局装置へ通知することができる。また、例えば、基地局装置は、上述したように、ＤＣＩフォーマットＡに含まれるある特定の情報（情報フィールド）の解釈を変更させることによって、移動局装置に対して、ＳＲＳに対するシングルアンテナポート送信またはマルチアンテナポート送信を指示することができる。
【０１５９】
基地局装置によって、ＳＲＳの送信指示、および、ＳＲＳに対するシングルアンテナポート送信またはマルチアンテナポート送信を指示する情報を含むＤＣＩフォーマットＡを通知された移動局装置は、シングルアンテナポートまたはマルチアンテナポートに対するＳＲＳを基地局装置へ送信する。すなわち、基地局装置によって、ＳＲＳの送信指示、および、ＳＲＳに対するシングルアンテナポート送信を指示する情報を含むＤＣＩフォーマットＡを通知された移動局装置は、シングルアンテナポートに対するＳＲＳを基地局装置へ送信する。また、基地局装置によって、ＳＲＳの送信指示、および、ＳＲＳに対するマルチアンテナポート送信を指示する情報を含むＤＣＩフォーマットＡを通知された移動局装置は、マルチアンテナポートに対するＳＲＳを基地局装置へ送信する。
【０１６０】
同様に、図４において、基地局装置は、ＤＣＩフォーマットＢにＳＲＳの送信指示を含めて移動局装置へ通知する。ここで、基地局装置は、ＤＣＩフォーマットＢにＳＲＳに対するシングルアンテナポート送信またはマルチアンテナポート送信を指示する情報を含めて移動局装置へ通知することができる。すなわち、基地局装置は、ＤＣＩフォーマットＢに、ＳＲＳの送信指示、および、ＳＲＳに対するシングルアンテナポート送信またはマルチアンテナポート送信を指示する情報を含めて移動局装置へ通知することができる。
【０１６１】
例えば、基地局装置は、ＳＲＳに対するシングルアンテナポート送信またはマルチアンテナポート送信を指示する情報として、１ビットの情報を移動局装置へ通知することができる。また、例えば、基地局装置は、上述したように、ＤＣＩフォーマットＢに含まれるある特定の情報（情報フィールド）の解釈を変更させることによって、移動局装置に対して、ＳＲＳに対するシングルアンテナポート送信またはマルチアンテナポート送信を指示することができる。
【０１６２】
基地局装置によって、ＳＲＳの送信指示、および、ＳＲＳに対するシングルアンテナポート送信またはマルチアンテナポート送信を指示する情報を含むＤＣＩフォーマットＢを通知された移動局装置は、シングルアンテナポートまたはマルチアンテナポートに対するＳＲＳを基地局装置へ送信する。すなわち、基地局装置によって、ＳＲＳの送信指示、および、ＳＲＳに対するシングルアンテナポート送信を指示する情報を含むＤＣＩフォーマットＢを通知された移動局装置は、シングルアンテナポートに対するＳＲＳを基地局装置へ送信する。また、基地局装置によって、ＳＲＳの送信指示、および、ＳＲＳに対するマルチアンテナポート送信を指示する情報を含むＤＣＩフォーマットＢを通知された移動局装置は、マルチアンテナポートに対するＳＲＳを基地局装置へ送信する。
【０１６３】
すなわち、図４において、基地局装置は、ＳＲＳの送信指示、および、ＳＲＳに対するシングルアンテナポート送信またはマルチアンテナポート送信を指示する情報を含むＤＣＩフォーマット（ＤＣＩフォーマットＡおよび／またはＤＣＩフォーマットＢ）を移動局装置へ通知し、このＤＣＩフォーマットを受信した移動局装置は、シングルアンテナポートまたはマルチアンテナポートに対するＳＲＳを基地局装置へ送信する。
【０１６４】
図４において、サブフレームｎ−２で、基地局装置は、ＳＲＳの送信指示、および、ＳＲＳに対するマルチアンテナポート送信を指示する情報を含むＤＣＩフォーマットＡを移動局装置へ通知する。このＤＣＩフォーマットＡを通知された移動局装置は、サブフレームｎ＋２で、マルチアンテナポートに対するＳＲＳを基地局装置へ送信する。図４において、右上がりの斜線（Ｔｘ＃１）、網線（Ｔｘ＃２）、横線（Ｔｘ＃３）、左上がりの斜線（Ｔｘ＃４）で示されるＳＲＳは、移動局装置が、マルチアンテナポート（例えば、送信アンテナポートＴｘ＃１、送信アンテナポートＴｘ＃２、送信アンテナポートＴｘ＃３、送信アンテナポートＴｘ＃４）に対するＳＲＳを基地局装置へ送信していることを示している。例えば、移動局装置は、マルチアンテナポート（例えば、送信アンテナポートＴｘ＃１、送信アンテナポートＴｘ＃２、送信アンテナポートＴｘ＃３、送信アンテナポートＴｘ＃４）に対するＳＲＳを、サイクリックシフトを使用して多重し、基地局装置へ送信することができる。
【０１６５】
同様に、サブフレームｎ＋３で、基地局装置は、ＳＲＳの送信指示、および、ＳＲＳに対するシングルアンテナポート送信を指示する情報を含むＤＣＩフォーマットＢを移動局装置へ通知する。このＤＣＩフォーマットＢを通知された移動局装置は、サブフレームｎ＋８で、シングルアンテナポートに対するＳＲＳを基地局装置へ送信する。図４において、縦線（single antenna port）で示されるＳＲＳは、移動局装置が、シングルアンテナポートに対するＳＲＳを基地局装置へ送信していることを示している。
【０１６６】
同様に、サブフレームｎ＋９で、基地局装置は、ＳＲＳの送信指示、および、ＳＲＳに対するマルチアンテナポート送信を指示する情報を含むＤＣＩフォーマットＢを移動局装置へ通知する。このＤＣＩフォーマットＢを通知された移動局装置は、サブフレームｎ＋１４で、マルチアンテナポートに対するＳＲＳを基地局装置へ送信する。
【０１６７】
同様に、サブフレームｎ＋１４で、基地局装置は、ＳＲＳの送信指示、および、ＳＲＳに対するシングルアンテナポート送信を指示する情報を含むＤＣＩフォーマットＡを移動局装置へ通知する。このＤＣＩフォーマットＡを通知された移動局装置は、サブフレームｎ＋１８で、シングルアンテナポートに対するＳＲＳを基地局装置へ送信する。
【０１６８】
上記までに示したように、基地局装置が、ＳＲＳの送信指示、および、ＳＲＳに対するシングルアンテナポート送信またはマルチアンテナ送信を指示する情報を含むＤＣＩフォーマット（ＤＣＩフォーマットＡおよび／またはＤＣＩフォーマットＢ）を移動局装置へ通知し、移動局装置が、シングルアンテナポートまたはマルチアンテナポートに対するＳＲＳを基地局装置へ送信することによって、移動局装置が、シングルアンテナポートに対するＳＲＳ送信とマルチアンテナポートに対するＳＲＳ送信を動的（ダイナミック）に切り替えることができる。
【０１６９】
移動局装置が、シングルアンテナポートに対するＳＲＳとマルチアンテナポートに対するＳＲＳを動的に切り替えて送信することによって、基地局装置は、移動局装置から送信されるＳＲＳに基づいて、チャネル状態に適応した効率的なスケジューリングを行なうことができる。すなわち、基地局装置と移動局装置が、物理チャネルをシングルアンテナポートまたはマルチアンテナポートで送受信する際に、基地局装置によって、効率的なスケジューリングを行なうことができる。
【０１７０】
（第２の実施形態）
次に、基地局装置１００および移動局装置２００を用いた移動通信システムにおける第２の実施形態を説明する。第２の実施形態では、基地局装置は、ＳＲＳの送信指示を含む下りリンク制御情報（ＤＣＩ）を移動局装置へ通知し、移動局装置は、下りリンク制御情報（ＤＣＩ）のフォーマットに対応して、シングルアンテナポートまたはマルチアンテナポートに対するＳＲＳを基地局装置へ送信する。
【０１７１】
また、基地局装置は、ＳＲＳの送信指示を含むＤＣＩフォーマットを移動局装置へ通知し、移動局装置は、ＤＣＩフォーマットにＳＲＳの送信指示が含まれている場合には、シングルアンテナポートに対するＳＲＳを基地局装置へ送信し、ＤＣＩフォーマットは、移動局装置がＰＵＳＣＨをシングルアンテナポートで送信するためにのみ使用される。すなわち、このＤＣＩフォーマットは、ＤＣＩフォーマットＡである。
【０１７２】
また、基地局装置は、ＳＲＳの送信指示を含むＤＣＩフォーマットを移動局装置へ通知し、移動局装置は、ＤＣＩフォーマットにＳＲＳの送信指示が含まれている場合には、マルチアンテナポートに対するＳＲＳを基地局装置へ送信し、ＤＣＩフォーマットは、移動局装置がＰＵＳＣＨをマルチアンテナポートで送信するために使用される。すなわち、このＤＣＩフォーマットは、ＤＣＩフォーマットＢである。
【０１７３】
また、基地局装置は、ＳＲＳの送信指示を含むＤＣＩフォーマットを移動局装置へ通知し、移動局装置は、ＤＣＩフォーマットを共通検索領域（ＣＳＳ）で検出した場合には、シングルアンテナポートに対するＳＲＳを基地局装置へ送信しても良い。すなわち、基地局装置によって、共通検索領域（ＣＳＳ）に配置されるこのＤＣＩフォーマットは、ＤＣＩフォーマットＡである。
【０１７４】
ここで、基地局装置は、ＳＲＳの送信指示を含むＤＣＩフォーマットを移動局装置へ通知し、移動局装置は、ＤＣＩフォーマットにＳＲＳの送信指示が含まれている場合には、シングルアンテナポートに対するＳＲＳを基地局装置へ送信し、ＤＣＩフォーマットは、移動局装置がＰＵＳＣＨをマルチアンテナポートで送信するために使用されても良い。すなわち、このＤＣＩフォーマットは、ＤＣＩフォーマットＢである。
【０１７５】
また、基地局装置は、ＳＲＳの送信指示を含むＤＣＩフォーマットを移動局装置へ通知し、移動局装置は、ＤＣＩフォーマットにＳＲＳの送信指示が含まれている場合には、マルチアンテナポートに対するＳＲＳを基地局装置へ送信し、ＤＣＩフォーマットは、移動局装置がＰＵＳＣＨをシングルアンテナポートで送信するためにのみ使用されても良い。すなわち、このＤＣＩフォーマットは、ＤＣＩフォーマットＡである。
【０１７６】
また、基地局装置は、ＳＲＳの送信指示を含むＤＣＩフォーマットを移動局装置へ通知し、移動局装置は、ＤＣＩフォーマットを共通検索領域（ＣＳＳ）で検出した場合には、マルチアンテナポートに対するＳＲＳを基地局装置へ送信しても良い。すなわち、基地局装置によって、共通検索領域（ＣＳＳ）に配置されるこのＤＣＩフォーマットは、ＤＣＩフォーマットＡである。
【０１７７】
図５は、第２の実施形態におけるＳＲＳの送信の例を示す図である。ここで、第２の実施形態は、第１の実施形態と同様に周波数集約（対称周波数帯域集約、非対称周波数帯域集約）された移動通信システムに対しても適用可能である。図５において、横軸はサブフレーム（時間）を示している。図５では、例として、サブフレームｎ−２からサブフレームｎ＋２０のサブフレームを示している。
【０１７８】
また、図５は、図４と同様に、基地局装置が、物理チャネル（例えば、ＰＤＳＣＨ）をマルチアンテナポートで移動局装置へ送信することを設定した際の動作に対して適用可能である。図５において、例えば、基地局装置は、ＲＲＣシグナリングを使用して物理チャネル（例えば、ＰＤＳＣＨ）の送信モード（送信スキーム）を設定することによって、物理チャネル（例えば、ＰＤＳＣＨ）をマルチアンテナポートで移動局装置へ送信することを通知することができる。
【０１７９】
また、図５は、図４と同様に、基地局装置が、物理チャネル（例えば、ＰＵＳＣＨ）をマルチアンテナポートで基地局装置へ送信することを設定した際の動作に対しても適用可能である。図５において、例えば、基地局装置は、ＲＲＣシグナリングを使用して物理チャネル（例えば、ＰＵＳＣＨ）の送信モード（送信スキーム）を設定することによって、物理チャネル（例えば、ＰＵＳＣＨ）をマルチアンテナポートで基地局装置へ送信することを通知することができる。
【０１８０】
また、図５では、基地局装置が、ＳＲＳサブフレームとして、サブフレームｎ−２、サブフレームｎ、サブフレームｎ＋２、サブフレームｎ＋４、サブフレームｎ＋６、サブフレームｎ＋８、サブフレームｎ＋１０、サブフレームｎ＋１２、サブフレームｎ＋１４、サブフレームｎ＋１６、サブフレームｎ＋１８、サブフレームｎ＋２０を移動局装置へ設定していることを示している。
【０１８１】
第１の実施形態と同様に、図５において、基地局装置は、下りリンク／上りリンクの物理チャネルをシングルアンテナポートで送信するためにのみ用いられるＤＣＩフォーマットＡを使用して、移動局装置に対して、ＳＲＳの送信を指示（要求、トリガ）することができる。また、基地局装置は、下りリンク／上りリンクの物理チャネルをマルチアンテナポートで送信するために用いられるＤＣＩフォーマットＢを使用して、移動局装置に対して、ＳＲＳの送信を指示（要求、トリガ）することができる。
【０１８２】
また、図５において、基地局装置からＳＲＳの送信指示を含むＤＣＩフォーマットを通知された移動局装置は、非周期的にＳＲＳ（Ａ−ＳＲＳ）を基地局装置へ送信することができる。図５では、移動局装置が、ＳＲＳの送信指示を含むＤＣＩフォーマットを受信したサブフレームから４サブフレーム後のサブフレームに最も近い（最初の）ＳＲＳサブフレームで、ＳＲＳを基地局装置へ送信していることを示している。
【０１８３】
図５において、移動局装置は、基地局装置から通知されるＤＣＩのフォーマットに対応して、シングルアンテナポートまたはマルチアンテナポートに対するＳＲＳを基地局装置へ送信する。
【０１８４】
例えば、移動局装置は、基地局装置から通知されるＤＣＩのフォーマットが、ＰＤＳＣＨをシングルアンテナポートで送信するためにのみ使用されるフォーマット（すなわち、ＤＣＩフォーマットＡ）である場合には、シングルアンテナポートに対するＳＲＳを基地局装置へ送信する。
【０１８５】
また、例えば、移動局装置は、基地局装置から通知されるＤＣＩのフォーマットが、ＰＵＳＣＨをシングルアンテナポートで送信するためにのみ使用されるフォーマット（すなわち、ＤＣＩフォーマットＡ）である場合には、シングルアンテナポートに対するＳＲＳを基地局装置へ送信する。
【０１８６】
また、例えば、移動局装置は、基地局装置から通知されるＤＣＩのフォーマットが、ＰＤＳＣＨをマルチアンテナポートで送信するために使用されるフォーマット（すなわち、ＤＣＩフォーマットＢ）である場合には、マルチアンテナポートに対するＳＲＳを基地局装置へ送信する。
【０１８７】
また、例えば、移動局装置は、基地局装置から通知されるＤＣＩのフォーマットが、ＰＵＳＣＨをマルチアンテナポートで送信するために使用されるフォーマット（すなわち、ＤＣＩフォーマットＢ）である場合には、マルチアンテナポートに対するＳＲＳを基地局装置へ送信する。
【０１８８】
ここで、移動局装置は、基地局装置から通知されるＤＣＩのフォーマットが、ＰＤＳＣＨをシングルアンテナポートで送信するためにのみ使用されるフォーマット（すなわち、ＤＣＩフォーマットＡ）である場合には、マルチアンテナポートに対するＳＲＳを基地局装置へ送信しても良い。
【０１８９】
また、移動局装置は、基地局装置から通知されるＤＣＩのフォーマットが、ＰＵＳＣＨをシングルアンテナポートで送信するためにのみ使用されるフォーマット（すなわち、ＤＣＩフォーマットＡ）である場合には、マルチアンテナポートに対するＳＲＳを基地局装置へ送信しても良い。
【０１９０】
また、移動局装置は、基地局装置から通知されるＤＣＩのフォーマットが、ＰＤＳＣＨをマルチアンテナポートで送信するために使用されるフォーマット（すなわち、ＤＣＩフォーマットＢ）である場合には、シングルアンテナポートに対するＳＲＳを基地局装置へ送信しても良い。
【０１９１】
また、移動局装置は、基地局装置から通知されるＤＣＩのフォーマットが、ＰＵＳＣＨをマルチアンテナポートで送信するために使用されるフォーマット（すなわち、ＤＣＩフォーマットＢ）である場合には、シングルアンテナポートに対するＳＲＳを基地局装置へ送信しても良い。
【０１９２】
ここで、基地局装置から通知されるＤＣＩのフォーマット（例えば、ＤＣＩフォーマットＡまたはＤＣＩフォーマットＢ）に対応して、移動局装置が、シングルアンテナポートに対するＳＲＳを送信するのか、マルチアンテナポートに対するＳＲＳを送信するのかは、仕様等によって事前に定義され、基地局装置と移動局装置の間で、既知とすることができる。
【０１９３】
また、基地局装置から通知されるＤＣＩのフォーマット（例えば、ＤＣＩフォーマットＡまたはＤＣＩフォーマットＢ）に対応して、移動局装置が、シングルアンテナポートに対するＳＲＳを送信するのか、マルチアンテナポートに対するＳＲＳを送信するのかは、基地局装置によって設定されても良い。例えば、基地局装置は、基地局装置から通知されるＤＣＩのフォーマットに対応して、移動局装置が、シングルアンテナポートに対するＳＲＳを送信するのか、マルチアンテナポートに対するＳＲＳを送信するのかを、ＲＲＣシグナリングを使用して、移動局装置固有に設定することができる。
【０１９４】
すなわち、図５において、基地局装置は、ＳＲＳの送信指示を含むＤＣＩを移動局装置へ通知し、このＤＣＩを通知された移動局装置は、ＤＣＩのフォーマットに対応して、シングルアンテナポートまたはマルチアンテナポートに対するＳＲＳを基地局装置へ送信する。
【０１９５】
ここで、上述したように、ＤＣＩフォーマットＡは、基地局装置によって、共通検索領域（ＣＳＳ）または移動局装置固有（ＵＳＳ）に配置される。また、ＤＣＩフォーマットＢは、基地局装置によって、移動局装置固有（ＵＳＳ）のみに配置される。すなわち、移動局装置が、共通検索領域（ＣＳＳ）で検出するＤＣＩフォーマットは、ＤＣＩフォーマットＡのみである。
【０１９６】
すなわち、移動局装置は、基地局装置から通知されるＤＣＩのフォーマットを共通検索領域（ＣＳＳ）で検出した場合（ＤＣＩフォーマットＡを検出した場合）には、シングルアンテナポートに対するＳＲＳを基地局装置へ送信する。
【０１９７】
ここで、移動局装置は、基地局装置から通知されるＤＣＩのフォーマットを共通検索領域（ＣＳＳ）で検出した場合（ＤＣＩフォーマットＡを検出した場合）には、マルチアンテナポートに対するＳＲＳを基地局装置へ送信しても良い。
【０１９８】
図５において、サブフレームｎ−２で、基地局装置は、ＳＲＳの送信指示を含むＤＣＩフォーマットＢを移動局装置へ通知する。このＤＣＩフォーマットＢを通知された移動局装置は、サブフレームｎ＋２で、マルチアンテナポートに対するＳＲＳを基地局装置へ送信する。図５では、例として、移動局装置は、ＤＣＩフォーマットＢに対応して、マルチアンテナポートに対するＳＲＳを基地局装置へ送信することを示している。
【０１９９】
図４と同様に、図５において、右上がりの斜線（Ｔｘ＃１）、網線（Ｔｘ＃２）、横線（Ｔｘ＃３）、左上がりの斜線（Ｔｘ＃４）で示されるＳＲＳは、移動局装置が、マルチアンテナポート（例えば、送信アンテナポートＴｘ＃１、送信アンテナポートＴｘ＃２、送信アンテナポートＴｘ＃３、送信アンテナポートＴｘ＃４）に対するＳＲＳを基地局装置へ送信していることを示している。例えば、移動局装置は、マルチアンテナポート（例えば、送信アンテナポートＴｘ＃１、送信アンテナポートＴｘ＃２、送信アンテナポートＴｘ＃３、送信アンテナポートＴｘ＃４）に対するＳＲＳを、サイクリックシフトを使用して多重し、基地局装置へ送信することができる。
【０２００】
同様に、サブフレームｎ＋３で、基地局装置は、ＳＲＳの送信指示を含むＤＣＩフォーマットＡを移動局装置へ通知する。このＤＣＩフォーマットＡを通知された移動局装置は、サブフレームｎ＋８で、シングルアンテナポートに対するＳＲＳを基地局装置へ送信する。図５では、例として、移動局装置は、ＤＣＩフォーマットＡに対応して、シングルアンテナポートに対するＳＲＳを基地局装置へ送信することを示している。また、図４と同様に、図５において、縦線（single antenna port）で示されるＳＲＳは、移動局装置が、シングルアンテナポートに対するＳＲＳを基地局装置へ送信していることを示している。
【０２０１】
同様に、サブフレームｎ＋９で、基地局装置は、ＳＲＳの送信指示を含むＤＣＩフォーマットＢを移動局装置へ通知する。このＤＣＩフォーマットＢを通知された移動局装置は、サブフレームｎ＋１４で、マルチアンテナポートに対するＳＲＳを基地局装置へ送信する。
【０２０２】
同様に、サブフレームｎ＋１４で、基地局装置は、ＳＲＳの送信指示を含むＤＣＩフォーマットＡを移動局装置へ通知する。このＤＣＩフォーマットＡを通知された移動局装置は、サブフレームｎ＋１８で、シングルアンテナポートに対するＳＲＳを基地局装置へ送信する。
【０２０３】
上記までに示したように、基地局装置が、ＳＲＳの送信指示を含むＤＣＩを移動局装置へ通知し、移動局装置が、ＤＣＩのフォーマット（例えば、ＤＣＩフォーマットＡまたはＤＣＩフォーマットＢ）に対応して、シングルアンテナポートまたはマルチアンテナポートに対するＳＲＳを基地局装置へ送信することによって、移動局装置が、シングルアンテナポートに対するＳＲＳ送信とマルチアンテナポートに対するＳＲＳ送信を動的（ダイナミック）に切り替えることができる。
【０２０４】
また、基地局装置が、ＳＲＳに対するシングルアンテナポート送信またはマルチアンテナポート送信を指示する情報をＤＣＩフォーマットに含めて移動局装置へ通知する必要がなくなり、無線リソースをより効率的に使用して、ＳＲＳに対するシングルアンテナポート送信またはマルチアンテナポート送信を指示することができる。
【０２０５】
また、移動局装置が、シングルアンテナポートに対するＳＲＳとマルチアンテナポートに対するＳＲＳを動的に切り替えて送信することによって、基地局装置は、移動局装置から送信されるＳＲＳに基づいて、チャネル状態に適応した効率的なスケジューリングを行なうことができる。すなわち、基地局装置と移動局装置が、物理チャネルをシングルアンテナポートまたはマルチアンテナポートで送受信する際に、基地局装置によって、効率的なスケジューリングを行なうことができる。
【０２０６】
以上説明した実施形態は、基地局装置および移動局装置に搭載される集積回路／チップセットにも適用される。また、以上説明した実施形態において、基地局装置内の各機能や、移動局装置内の各機能を実現するためのプログラムをコンピュータ読み取り可能な記録媒体に記録して、この記録媒体に記録されたプログラムをコンピュータシステムに読み込ませ、実行することにより基地局装置や移動局装置の制御を行なっても良い。なお、ここでいう「コンピュータシステム」とは、ＯＳや周辺機器等のハードウェアを含むものとする。
【０２０７】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。更に「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、更に前述した機能をコンピュータシステムに既に記録されているプログラムとの組み合わせで実現できるものであっても良い。
【０２０８】
以上、この発明の実施形態について図面を参照して詳述してきたが、具体的な構成はこの実施形態に限られるものではなく、この発明の要旨を逸脱しない範囲の設計等も特許請求の範囲に含まれる。
【符号の説明】
【０２０９】
１００  基地局装置
１０１  データ制御部
１０２  送信データ変調部
１０３  無線部
１０４  スケジューリング部
１０５  チャネル推定部
１０６  受信データ復調部
１０７  データ抽出部
１０８  上位層
１０９  アンテナ
１１０  無線リソース制御部
２００  移動局装置
２０１  データ制御部
２０２  送信データ変調部
２０３  無線部
２０４  スケジューリング部
２０５  チャネル推定部
２０６  受信データ復調部
２０７  データ抽出部
２０８  上位層
２０９  アンテナ
２１０  無線リソース制御部
【図１】
2012034145.tif 000003
【図２】
2012034145.tif 000004
【図３】
2012034145.tif 000005
【図４】
2012034145.tif 000006
【図５】
2012034145.tif 000007
【図６】
2012034145.tif 000008